(57)【特許請求の範囲】
【請求項１】
無線通信システムにおいて、端末（User Equipment；ＵＥ）が残りの最小システム情報（Remaining Minimum System Information；ＲＭＳＩ）のための物理下りリンク制御チャネル（Physical Downlink Control CHannel；ＰＤＣＣＨ）を受信する方法であって、
同期信号（Synchronization Signal；ＳＳ）及び物理ブロードキャストチャネル（Physical Broadcasting CHannel；ＰＢＣＨ）を有するＳＳ／ＰＢＣＨブロックを受信し、
前記ＰＢＣＨを介して、前記ＰＤＣＣＨのための制御リソースセット（COntrol REsource SET；ＣＯＲＥＳＥＴ）に関する情報を取得し、
前記ＣＯＲＥＳＥＴに関する情報に基づいた前記ＣＯＲＥＳＥＴ内において前記ＰＤＣＣＨを受信する、ことを有し、
前記ＣＯＲＥＳＥＴに関する情報は、前記ＣＯＲＥＳＥＴに関するＳＳ／ＰＢＣＨブロックの周波数位置と前記ＣＯＲＥＳＥＴの周波数位置との間のオフセットを有し、
前記オフセットのために利用可能な値は、前記ＳＳ／ＰＢＣＨブロックの副搬送波間隔及び最小チャネル帯域幅に基づいて定義され、
前記オフセットは、前記ＣＯＲＥＳＥＴの最下位のリソースブロック（Resource Block；ＲＢ）の周波数位置を前記ＵＥに知らせ、
インデックス＃２ｎを有するＳＳ／ＰＢＣＨブロックに関連するＣＯＲＥＳＥＴのためのモニタリングウィンドウの第１の開始スロットを有するフレームのインデックスは、インデックス＃２ｎ＋１を有するＳＳ／ＰＢＣＨブロックに関連するＣＯＲＥＳＥＴのモニタリングウィンドウの第２の開始スロットを有するフレームのインデックスと異なり、ｎは整数である、ＰＤＣＣＨ受信方法。
【請求項２】
前記ＳＳ／ＰＢＣＨブロックのための同期ラスタのサイズは、前記最小チャネル帯域幅及び前記ＳＳ／ＰＢＣＨブロックの副搬送波間隔に基づいて定義される、請求項１に記載のＰＤＣＣＨ受信方法。
【請求項３】
前記ＣＯＲＥＳＥＴに関する情報のために必要なビットの数は、
前記ＳＳ／ＰＢＣＨブロックの副搬送波間隔及び前記最小チャネル帯域幅に基づいて異なる、請求項１に記載のＰＤＣＣＨ受信方法。
【請求項４】
無線通信システムにおいて、残りの最小システム情報（Remaining Minimum System Information；ＲＭＳＩ）のための物理下りリンク制御チャネル（Physical Downlink Control CHannel；ＰＤＣＣＨ）を受信する通信装置であって、
メモリと、
前記メモリと接続されたプロセッサと、を有し、
前記プロセッサは、
同期信号（Synchronization Signal；ＳＳ）及び物理ブロードキャストチャネル（Physical Broadcasting CHannel；ＰＢＣＨ）を有するＳＳ／ＰＢＣＨブロックを受信し、
前記ＰＢＣＨを介して、前記ＰＤＣＣＨのための制御リソースセット（COntrol REsource SET；ＣＯＲＥＳＥＴ）に関する情報を取得し、
前記ＣＯＲＥＳＥＴに関する情報に基づいた前記ＣＯＲＥＳＥＴ内において前記ＰＤＣＣＨを受信する、よう制御するように構成され、
前記ＣＯＲＥＳＥＴに関する情報は、前記ＣＯＲＥＳＥＴに関するＳＳ／ＰＢＣＨブロックの周波数位置と前記ＣＯＲＥＳＥＴの周波数位置との間のオフセットを有し、
前記オフセットのために利用可能な値は、前記ＳＳ／ＰＢＣＨブロックの副搬送波間隔及び最小チャネル帯域幅に基づいて定義され、
前記オフセットは、前記ＣＯＲＥＳＥＴの最下位のリソースブロック（Resource Block；ＲＢ）の周波数位置を前記通信装置に知らせ、
インデックス＃２ｎを有するＳＳ／ＰＢＣＨブロックに関連するＣＯＲＥＳＥＴのためのモニタリングウィンドウの第１の開始スロットを有するフレームのインデックスは、インデックス＃２ｎ＋１を有するＳＳ／ＰＢＣＨブロックに関連するＣＯＲＥＳＥＴのモニタリングウィンドウの第２の開始スロットを有するフレームのインデックスと異なり、ｎは整数である、通信装置。
【請求項５】
前記ＳＳ／ＰＢＣＨブロックのための同期ラスタのサイズは、前記最小チャネル帯域幅及び前記ＳＳ／ＰＢＣＨブロックの副搬送波間隔に基づいて定義される、請求項４に記載の通信装置。
【請求項６】
前記ＣＯＲＥＳＥＴに関する情報のために必要なビットの数は、
前記ＳＳ／ＰＢＣＨブロックの副搬送波間隔及び前記最小チャネル帯域幅に基づいて異なる、請求項４に記載の通信装置。
【請求項７】
無線通信システムにおいて、基地局が残りの最小システム情報（Remaining Minimum System Information；ＲＭＳＩ）のための物理下りリンク制御チャネル（Physical Downlink Control CHannel；ＰＤＣＣＨ）を送信する方法であって、
同期信号（Synchronization Signal；ＳＳ）及び物理ブロードキャストチャネル（Physical Broadcasting CHannel；ＰＢＣＨ）を有するＳＳ／ＰＢＣＨブロックを送信し、
前記ＰＢＣＨを介して伝達される前記ＰＤＣＣＨのための制御リソースセット（COntrol REsource SET；ＣＯＲＥＳＥＴ）に関する情報に基づいて、前記ＣＯＲＥＳＥＴ内において前記ＰＤＣＣＨを送信する、ことを有し、
前記ＣＯＲＥＳＥＴに関する情報は、前記ＣＯＲＥＳＥＴに関するＳＳ／ＰＢＣＨブロックの周波数位置と前記ＣＯＲＥＳＥＴの周波数位置との間のオフセットを有し、
前記オフセットのために利用可能な値は、前記ＳＳ／ＰＢＣＨブロックの副搬送波間隔及び最小チャネル帯域幅に基づいて定義され、
前記オフセットは、前記ＣＯＲＥＳＥＴの最下位のリソースブロック（Resource Block；ＲＢ）の周波数位置をＵＥに知らせ、
インデックス＃２ｎを有するＳＳ／ＰＢＣＨブロックに関連するＣＯＲＥＳＥＴのためのモニタリングウィンドウの第１の開始スロットを有するフレームのインデックスは、インデックス＃２ｎ＋１を有するＳＳ／ＰＢＣＨブロックに関連するＣＯＲＥＳＥＴのモニタリングウィンドウの第２の開始スロットを有するフレームのインデックスと異なり、ｎは整数である、ＰＤＣＣＨ送信方法。
【請求項８】
無線通信システムにおいて、残りの最小システム情報（Remaining Minimum System Information；ＲＭＳＩ）のための物理下りリンク制御チャネル（Physical Downlink Control CHannel；ＰＤＣＣＨ）を送信する通信装置であって、
メモリと、
前記メモリと接続されたプロセッサと、を有し、
前記プロセッサは、
同期信号（Synchronization Signal；ＳＳ）及び物理ブロードキャストチャネル（Physical Broadcasting CHannel；ＰＢＣＨ）を有するＳＳ／ＰＢＣＨブロックを送信し、
前記ＰＢＣＨを介して伝達される前記ＰＤＣＣＨのための制御リソースセット（COntrol REsource SET；ＣＯＲＥＳＥＴ）に関する情報に基づいて、前記ＣＯＲＥＳＥＴ内において前記ＰＤＣＣＨを送信する、よう制御するように構成され、
前記ＣＯＲＥＳＥＴに関する情報は、前記ＣＯＲＥＳＥＴに関するＳＳ／ＰＢＣＨブロックの周波数位置と前記ＣＯＲＥＳＥＴの周波数位置との間のオフセットを有し、
前記オフセットのために利用可能な値は、前記ＳＳ／ＰＢＣＨブロックの副搬送波間隔及び最小チャネル帯域幅に基づいて定義され、
前記オフセットは、前記ＣＯＲＥＳＥＴの最下位のリソースブロック（Resource Block；ＲＢ）の周波数位置をＵＥに知らせ、
インデックス＃２ｎを有するＳＳ／ＰＢＣＨブロックに関連するＣＯＲＥＳＥＴのためのモニタリングウィンドウの第１の開始スロットを有するフレームのインデックスは、インデックス＃２ｎ＋１を有するＳＳ／ＰＢＣＨブロックに関連するＣＯＲＥＳＥＴのモニタリングウィンドウの第２の開始スロットを有するフレームのインデックスと異なり、ｎは整数である、通信装置。
【発明の詳細な説明】
【技術分野】
【０００１】
本発明は、下りリンクチャネルを送受信する方法及びそのための装置に関し、より詳細には、同期信号ブロック（Synchronization Signal Block；ＳＳＢ）に含まれるＰＢＣＨ（Physical Broadcast CHannel）コンテンツを介して伝達される下りリンク帯域幅に関する情報に基づいて、下りリンクチャネルを送受信する方法及びそのための装置に関する。
【背景技術】
【０００２】
時代の流れによって、より多くの通信装置がより大きな通信容量を要求するようになり、既存のＬＴＥシステムに比べて向上した無線広帯域通信である次世代５Ｇシステムが要求されている。ＮｅｗＲＡＴと呼ばれるこの次世代５Ｇシステムは、ｅｎｈａｎｃｅｄ  Ｍｏｂｉｌｅ  ＢｒｏａｄＢａｎｄ（ｅＭＢＢ）／Ｕｌｔｒａ−Ｒｅｌｉａｂｉｌｉｔｙ  ａｎｄ  Ｌｏｗ−Ｌａｔｅｎｃｙ  Ｃｏｍｍｕｎｉｃａｔｉｏｎ（ＵＲＬＬＣ）／ｍａｓｓｉｖｅ  Ｍａｃｈｉｎｅ−Ｔｙｐｅ  Ｃｏｍｍｕｎｉｃａｔｉｏｎｓ（ｍＭＴＣ）などに通信シナリオが区分される。
【０００３】
ここで、ｅＭＢＢは、Ｈｉｇｈ  Ｓｐｅｃｔｒｕｍ  Ｅｆｆｉｃｉｅｎｃｙ、Ｈｉｇｈ  Ｕｓｅｒ  Ｅｘｐｅｒｉｅｎｃｅｄ  Ｄａｔａ  Ｒａｔｅ、Ｈｉｇｈ  Ｐｅａｋ  Ｄａｔａ  Ｒａｔｅなどの特性を有する次世代移動通信シナリオであり、ＵＲＬＬＣは、Ｕｌｔｒａ  Ｒｅｌｉａｂｌｅ、Ｕｌｔｒａ  Ｌｏｗ  Ｌａｔｅｎｃｙ、Ｕｌｔｒａ  Ｈｉｇｈ  Ａｖａｉｌａｂｉｌｉｔｙなどの特性を有する次世代移動通信シナリオであり（例えば、Ｖ２Ｘ、Ｅｍｅｒｇｅｎｃｙ  Ｓｅｒｖｉｃｅ、Ｒｅｍｏｔｅ  Ｃｏｎｔｒｏｌ）、ｍＭＴＣは、Ｌｏｗ  Ｃｏｓｔ、Ｌｏｗ  Ｅｎｅｒｇｙ、Ｓｈｏｒｔ  Ｐａｃｋｅｔ、Ｍａｓｓｉｖｅ  Ｃｏｎｎｅｃｔｉｖｉｔｙなどの特性を有する次世代移動通信シナリオである（例えば、ＩｏＴ）。
【発明の概要】
【発明が解決しようとする課題】
【０００４】
本発明は、下りリンクチャネルを送受信する方法及びそのための装置を提供しようとする。
【０００５】
本発明が遂げようとする技術的課題は、以上で言及した技術的課題に制限されず、言及していない他の技術的課題は、以下の発明の詳細な説明から本発明が属する技術分野における通常の知識を有する者には明確に理解されるであろう。
【課題を解決するための手段】
【０００６】
本発明の実施例による無線通信システムにおいて、端末が、残りの最小システム情報（Remaining Minimum System Information；ＲＭＳＩ）のための物理下りリンク制御チャネル（Physical Downlink Control CHannel；ＰＤＣＣＨ）を受信する方法であって、同期信号（Synchronization Signal；ＳＳ）及び物理ブロードキャストチャネル（Physical Broadcasting CHannel；ＰＢＣＨ）を有するＳＳ／ＰＢＣＨブロックを受信し、ＰＢＣＨを介して、ＰＤＣＣＨのための制御リソースセット（集合）（COntrol REsource SET；ＣＯＲＥＳＥＴ）に関する情報を取得し、情報に基づいたＣＯＲＥＳＥＴ内においてＰＤＣＣＨを受信する、ことを有し、情報は、ＣＯＲＥＳＥＴに関するＳＳ／ＰＢＣＨブロックの周波数位置とＣＯＲＥＳＥＴの周波数位置との間のオフセットを有し、オフセットとして可能な値は、ＳＳ／ＰＢＣＨブロックの副搬送波間隔及び最小チャネル帯域幅に基づいて定義される。
【０００７】
このとき、ＳＳ／ＰＢＣＨブロックのための同期ラスタのサイズは、最小チャネル帯域幅及びＳＳ／ＰＢＣＨブロックの副搬送波間隔に基づいて定義される。
【０００８】
また、オフセットは、ＣＯＲＥＳＥＴの最下位のリソースブロック（Resource Block；ＲＢ）と少なくとも１つの同期ラスタで送信されるＳＳ／ＰＢＣＨブロックのうちのいずれか１つとＣＯＲＥＳＥＴとの間の相対的な距離である。
【０００９】
また、２つのＳＳ／ＰＢＣＨブロックの間に、ＣＯＲＥＳＥＴの最下位のＲＢが位置するとき、２つのＳＳ／ＰＢＣＨブロックのうち、より高い周波数に位置するＳＳ／ＰＢＣＨブロックがいずれか１つのＳＳ／ＰＢＣＨブロックとして決定される。
【００１０】
また、いずれか１つのＳＳ／ＰＢＣＨブロックは、ＣＯＲＥＳＥＴの中心ＲＢから最も近いＳＳ／ＰＢＣＨブロックである。
【００１１】
また、ＣＯＲＥＳＥＴに関する情報のために必要なビットの数は、ＳＳ／ＰＢＣＨブロックの副搬送波間隔及び最小チャネル帯域幅に基づいて変更される。
【００１２】
本発明による無線通信システムにおいて、残りの最小システム情報（Remaining Minimum System Information；ＲＭＳＩ）のための物理下りリンク制御チャネル（Physical Downlink Control CHannel；ＰＤＣＣＨ）を受信するための通信装置であって、メモリと、メモリと接続されたプロセッサと、を有し、プロセッサは、同期信号（Synchronization Signal；ＳＳ）及び物理ブロードキャストチャネル（Physical Broadcasting CHannel；ＰＢＣＨ）を有するＳＳ／ＰＢＣＨブロックを受信し、ＰＢＣＨを介して、ＰＤＣＣＨのための制御リソースセット（COntrol REsource SET；ＣＯＲＥＳＥＴ）に関する情報を取得し、情報に基づいたＣＯＲＥＳＥＴ内においてＰＤＣＣＨを受信する、よう制御することを有し、情報は、ＣＯＲＥＳＥＴに関するＳＳ／ＰＢＣＨブロックの周波数位置とＣＯＲＥＳＥＴの周波数位置との間のオフセットを有し、オフセットとして可能な値は、ＳＳ／ＰＢＣＨブロックの副搬送波間隔及び最小チャネル帯域幅に基づいて定義される。
【００１３】
このとき、ＳＳ／ＰＢＣＨブロックのための同期ラスタのサイズは、最小チャネル帯域幅及びＳＳ／ＰＢＣＨブロックの副搬送波間隔に基づいて定義される。
【００１４】
また、オフセットは、ＣＯＲＥＳＥＴの最下位のリソースブロック（Resource Block；ＲＢ）と少なくとも１つの同期ラスタで送信されるＳＳ／ＰＢＣＨブロックのうちのいずれか１つとＣＯＲＥＳＥＴとの間の相対的な距離である。
【００１５】
また、２つのＳＳ／ＰＢＣＨブロックの間に、ＣＯＲＥＳＥＴの最下位のＲＢが位置するとき、２つのＳＳ／ＰＢＣＨブロックのうち、より高い周波数に位置するＳＳ／ＰＢＣＨブロックがいずれか１つのＳＳ／ＰＢＣＨブロックとして決定される。
【００１６】
また、いずれか１つのＳＳ／ＰＢＣＨブロックは、ＣＯＲＥＳＥＴの中心ＲＢから最も近いＳＳ／ＰＢＣＨブロックである。
【００１７】
また、ＣＯＲＥＳＥＴに関する情報のために必要なビットの数は、ＳＳ／ＰＢＣＨブロックの副搬送波間隔及び最小チャネル帯域幅に基づいて変更される。
【００１８】
本発明の実施例による無線通信システムにおいて、基地局が残りの最小システム情報（Remaining Minimum System Information；ＲＭＳＩ）のための物理下りリンク制御チャネル（Physical Downlink Control CHannel；ＰＤＣＣＨ）を送信する方法であって、同期信号（Synchronization Signal；ＳＳ）及び物理ブロードキャストチャネル（Physical Broadcasting CHannel；ＰＢＣＨ）を有するＳＳ／ＰＢＣＨブロックを送信し、ＰＢＣＨを介して伝達されるＰＤＣＣＨのための制御リソースセット（COntrol REsource SET；ＣＯＲＥＳＥＴ）に関する情報に基づいて、ＣＯＲＥＳＥＴ内においてＰＤＣＣＨを送信する、ことを有し、ＣＯＲＥＳＥＴに関する情報は、ＣＯＲＥＳＥＴに関するＳＳ／ＰＢＣＨブロックの周波数位置とＣＯＲＥＳＥＴの周波数位置との間のオフセットを有し、オフセットとして可能な値は、ＳＳ／ＰＢＣＨブロックの副搬送波間隔及び最小チャネル帯域幅に基づいて定義される。
【００１９】
本発明による無線通信システムにおいて、残りの最小システム情報（Remaining Minimum System Information；ＲＭＳＩ）のための物理下りリンク制御チャネル（Physical Downlink Control CHannel；ＰＤＣＣＨ）を送信するための通信装置であって、メモリと、メモリと接続されたプロセッサと、を有し、プロセッサは、同期信号（Synchronization Signal；ＳＳ）及び物理ブロードキャストチャネル（Physical Broadcasting CHannel；ＰＢＣＨ）を有するＳＳ／ＰＢＣＨブロックを送信し、ＰＢＣＨを介して伝達されるＰＤＣＣＨのための制御リソースセット（COntrol REsource SET；ＣＯＲＥＳＥＴ）に関する情報に基づいて、ＣＯＲＥＳＥＴ内においてＰＤＣＣＨを送信する、よう制御することを有し、ＣＯＲＥＳＥＴに関する情報は、ＣＯＲＥＳＥＴに関するＳＳ／ＰＢＣＨブロックの周波数位置とＣＯＲＥＳＥＴの周波数位置との間のオフセットを有し、オフセットとして可能な値は、ＳＳ／ＰＢＣＨブロックの副搬送波間隔及び最小チャネル帯域幅に基づいて定義される。
【発明の効果】
【００２０】
本発明によれば、同期信号ブロックを介して下りリンクのための帯域幅に関する情報を受信し、受信した情報に基づいて設定された帯域幅内において下りリンクチャネルを効率的に受信することができる。
【００２１】
本発明で得られる効果は、以上に言及した効果に制限されず、言及しなかった他の効果は、下記の記載から、本発明が属する当該技術分野における当業者に明確に理解されるであろう。
【図面の簡単な説明】
【００２２】
【図１】３ＧＰＰ無線アクセスネットワーク（無線接続網）（radio access network）の規格に基づく端末とＥ−ＵＴＲＡＮとの間の無線インターフェースプロトコル（Radio Interface Protocol）の制御プレーン（Control Plane）及びユーザプレーン（User Plane）構造を示す図である。
【図２】３ＧＰＰシステムに用いられる物理チャネル及びこれらを用いた一般的な信号送信方法を説明する図である。
【図３】ＬＴＥシステムにおいて用いられる同期信号（Synchronization Signal，ＳＳ）の送信のための無線フレーム構造を例示する図である。
【図４】新たな無線アクセス技術（無線接続技術）（New Radio Access Technology，ＮＲ）において利用可能なスロット構造を例示する図である。
【図５】ＴＸＲＵとアンテナ要素との接続方式の一例を示す図である。
【図６】送受信器ユニット（Transceiver Unit，ＴＸＲＵ）及び物理アンテナの観点から、ハイブリッドビームフォーミングの構造を簡単に示す図である。
【図７】下りリンク送信過程において、同期信号及びシステム情報に対するビームスイーピング（Beam Sweeping）動作を示す図である。
【図８】新たな無線アクセス技術（New Radio access technology，ＮＲ）システムのセルを例示する図である。
【図９】同期信号内にＰＳＳ／ＳＳＳ／ＰＢＣＨが多重化される実施例を説明する図である。
【図１０】同期信号内にＰＳＳ／ＳＳＳ／ＰＢＣＨが多重化される実施例を説明する図である。
【図１１】本発明の実施例によるＰＢＣＨデコーディング性能をシミュレーションした結果を示すグラフである。
【図１２】本発明の実施例によるＰＢＣＨデコーディング性能をシミュレーションした結果を示すグラフである。
【図１３】本発明の実施例によるＰＢＣＨデコーディング性能をシミュレーションした結果を示すグラフである。
【図１４】本発明の実施例を実行する端末の具現実施例を説明する図である。
【図１５】本発明の実施例を実行する端末の具現実施例を説明する図である。
【図１６】本発明の実施例を実行する端末の具現実施例を説明する図である。
【図１７】ＲＭＳＩのためのＣＯＲＥＳＥＴの設定方法及びそれに対応するＰＤＣＣＨのためのモニタリングウィンドウを設定する方法を説明する図である。
【図１８】ＲＭＳＩのためのＣＯＲＥＳＥＴの設定方法及びそれに対応するＰＤＣＣＨのためのモニタリングウィンドウを設定する方法を説明する図である。
【図１９】ＲＭＳＩのためのＣＯＲＥＳＥＴの設定方法及びそれに対応するＰＤＣＣＨのためのモニタリングウィンドウを設定する方法を説明する図である。
【図２０】ＲＭＳＩのためのＣＯＲＥＳＥＴの設定方法及びそれに対応するＰＤＣＣＨのためのモニタリングウィンドウを設定する方法を説明する図である。
【図２１】ＲＭＳＩのためのＣＯＲＥＳＥＴの設定方法及びそれに対応するＰＤＣＣＨのためのモニタリングウィンドウを設定する方法を説明する図である。
【図２２】ＲＭＳＩのためのＣＯＲＥＳＥＴの設定方法及びそれに対応するＰＤＣＣＨのためのモニタリングウィンドウを設定する方法を説明する図である。
【図２３】ＲＭＳＩのためのＣＯＲＥＳＥＴの設定方法及びそれに対応するＰＤＣＣＨのためのモニタリングウィンドウを設定する方法を説明する図である。
【図２４】ＲＭＳＩのためのＣＯＲＥＳＥＴの設定方法及びそれに対応するＰＤＣＣＨのためのモニタリングウィンドウを設定する方法を説明する図である。
【図２５】ＲＭＳＩのためのＣＯＲＥＳＥＴの設定方法及びそれに対応するＰＤＣＣＨのためのモニタリングウィンドウを設定する方法を説明する図である。
【図２６】ＲＭＳＩのためのＣＯＲＥＳＥＴの設定方法及びそれに対応するＰＤＣＣＨのためのモニタリングウィンドウを設定する方法を説明する図である。
【図２７】ＲＭＳＩのためのＣＯＲＥＳＥＴの設定方法及びそれに対応するＰＤＣＣＨのためのモニタリングウィンドウを設定する方法を説明する図である。
【図２８】本発明を実行する無線装置の構成要素を示すブロック図である。
【発明を実施するための形態】
【００２３】
以下に添付の図面を参照して説明される本発明の実施例から、本発明の構成、作用及び他の特徴が容易に理解されるであろう。以下に説明される実施例は、本発明の技術的特徴が３ＧＰＰシステムに適用された例である。
【００２４】
本明細書では、ＬＴＥシステム及びＬＴＥ−Ａシステムを用いて本発明の実施例を説明するが、これは例示に過ぎず、本発明の実施例は、上述した定義に該当するいかなる通信システムにも適用可能である。
【００２５】
また、本明細書では、基地局をＲＲＨ（Remote Radio Head）、ｅＮＢ、ＴＰ（Transmission Point）、ＲＰ（Reception Point）、中継器（relay）などを含む包括的な名称として使うことができる。
【００２６】
３ＧＰＰベース通信標準は、上位層からの情報を運ぶリソース要素に対応する下りリンク物理チャネルと、物理層によって使用されるものの上位層からの情報を運ばないリソース要素に対応する下りリンク物理信号と、を定義する。例えば、物理下りリンク共有チャネル（Physical Downlink Shared CHannel，ＰＤＳＣＨ）、物理ブロードキャストチャネル（Physical Broadcast CHannel，ＰＢＣＨ）、物理マルチキャストチャネル（Physical Multicast CHannel，ＰＭＣＨ）、物理制御フォーマット指示子チャネル（Physical Control Format Indicator CHannel，ＰＣＦＩＣＨ）、物理下りリンク制御チャネル（Physical Downlink Control CHannel，ＰＤＣＣＨ）及び物理ハイブリッドＡＲＱ指示子チャネル（Physical Hybrid ARQ indicator CHannel，ＰＨＩＣＨ）が、下りリンク物理チャネルとして定義されており、参照信号及び同期信号が下りリンク物理信号として定義されている。パイロット（pilot）とも呼ばれる参照信号（Reference Signal，ＲＳ）は、ｇＮＢとＵＥとが互いに知っている予め定義された特別な波形の信号を意味するが、例えば、セル固有（セル特定的）ＲＳ（cell specific RS）、ＵＥ固有（ＵＥ−特定的）ＲＳ（UE-specific RS,ＵＥ−ＲＳ）、ポジショニングＲＳ（Positioning RS，ＰＲＳ）及びチャネル状態情報ＲＳ（Channel State Information RS，ＣＳＩ−ＲＳ）が下りリンク参照信号として定義される。３ＧＰＰ  ＬＴＥ／ＬＴＥ−Ａ標準は、上位層からの情報を運ぶリソース要素に対応する上りリンク物理チャネルと、物理層によって用いられるが、上位層からの情報を運ばないリソース要素に対応する上りリンク物理信号と、を定義している。例えば、物理上りリンク共有チャネル（Physical Uplink Shared CHannel，ＰＵＳＣＨ）、物理上りリンク制御チャネル（Physical Uplink Control CHannel，ＰＵＣＣＨ）、物理ランダムアクセス（任意接続）チャネル（Physical Random Access CHannel，ＰＲＡＣＨ）が、上りリンク物理チャネルとして定義され、上りリンク制御／データ信号のための復調参照信号（DeModulation Reference Signal，ＤＭＲＳ）と上りリンクチャネル測定に用いられるサウンディング参照信号（Sounding Reference Signal，ＳＲＳ）とが、（上りリンク物理信号として）定義される。
【００２７】
本発明において、ＰＤＣＣＨ（Physical Downlink Control CHannel）／ＰＣＦＩＣＨ（Physical Control Format Indicator CHannel）／ＰＨＩＣＨ（（Physical Hybrid automatic retransmit request Indicator CHannel）／ＰＤＳＣＨ（Physical Downlink Shared CHannel）は、それぞれ、ＤＣＩ（Downlink Control Information）／ＣＦＩ（Control Format Indicator）／下りリンクＡＣＫ／ＮＡＣＫ（ACKnowlegement／Negative ACK）／下りリンクデータを運ぶ時間−周波数リソースのセット（集合）（set）又はリソース要素のセットを意味する。また、ＰＵＣＣＨ（Physical Uplink Control CHannel）／ＰＵＳＣＨ（Physical Uplink Shared CHannel）／ＰＲＡＣＨ（Physical Random Access CHannel）は、それぞれ、ＵＣＩ（Uplink Control Information）／上りリンクデータ／ランダムアクセス信号を運ぶ時間−周波数リソースのセット又はリソース要素のセットを意味する。本発明では、特に、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨに割り当てられたり、これに属する時間−周波数リソース又はリソース要素（Resource Element，ＲＥ）を、それぞれ、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨ  ＲＥ又はＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨリソースと称する。以下では、ユーザ機器がＰＵＣＣＨ／ＰＵＳＣＨ／ＰＲＡＣＨを送信するという表現は、それぞれ、ＰＵＳＣＨ／ＰＵＣＣＨ／ＰＲＡＣＨ上で、又は、を通じて、上りリンク制御情報／上りリンクデータ／ランダムアクセス信号を送信することと同じ意味で使われる。また、ｇＮＢがＰＤＣＣＨ／ＰＣＦＩＣＨ／ＰＨＩＣＨ／ＰＤＳＣＨを送信するという表現は、それぞれ、ＰＤＣＣＨ／ＰＣＦＩＣＨ／ＰＨＩＣＨ／ＰＤＳＣＨ上で、又は、を通じて、下りリンクデータ／制御情報を送信することと同じ意味で使われる。
【００２８】
以下では、ＣＲＳ／ＤＭＲＳ／ＣＳＩ−ＲＳ／ＳＲＳ／ＵＥ−ＲＳが割り当てられた又は設定された（configured）ＯＦＤＭシンボル／副搬送波／ＲＥを、ＣＲＳ／ＤＭＲＳ／ＣＳＩ−ＲＳ／ＳＲＳ／ＵＥ−ＲＳシンボル／搬送波／副搬送波／ＲＥと称する。例えば、トラッキングＲＳ（Tracking RS，ＴＲＳ）が割り当てられた又は設定されたＯＦＤＭシンボルは、ＴＲＳシンボルと称し、ＴＲＳが割り当てられた又は設定された副搬送波は、ＴＲＳ副搬送波と称し、ＴＲＳが割り当てられた又は設定されたＲＥは、ＴＲＳ  ＲＥと称する。また、ＴＲＳ送信のために設定された（configured）サブフレームを、ＴＲＳサブフレームと称する。また、ブロードキャスト信号が送信されるサブフレームを、ブロードキャストサブフレーム又はＰＢＣＨサブフレームと称し、同期信号（例えば、ＰＳＳ及び／又はＳＳＳ）が送信されるサブフレームを、同期信号サブフレーム又はＰＳＳ／ＳＳＳサブフレームと称する。ＰＳＳ／ＳＳＳが割り当てられた又は設定された（configured）ＯＦＤＭシンボル／副搬送波／ＲＥを、それぞれ、ＰＳＳ／ＳＳＳシンボル／副搬送波／ＲＥと称する。
【００２９】
本発明における、ＣＲＳポート、ＵＥ-ＲＳポート、ＣＳＩ−ＲＳポート、ＴＲＳポートとは、それぞれ、ＣＲＳを送信するように設定された（configured）アンテナポート、ＵＥ−ＲＳを送信するように設定されたアンテナポート、ＣＳＩ−ＲＳを送信するように設定されたアンテナポート、ＴＲＳを送信するように設定されたアンテナポートを意味する。ＣＲＳを送信するように設定されたアンテナポートは、ＣＲＳポートによって（according to）ＣＲＳが占有するＲＥの位置で（by）相互に区別でき、ＵＥ−ＲＳを送信するように設定された（configured）アンテナポートは、ＵＥ−ＲＳポートによってＵＥ−ＲＳが占有するＲＥの位置で相互に区別でき、ＣＳＩ−ＲＳを送信するように設定されたアンテナポートは、ＣＳＩ−ＲＳポートによってＣＳＩ−ＲＳが占有するＲＥの位置で相互に区別できる。したがって、ＣＲＳ／ＵＥ−ＲＳ／ＣＳＩ−ＲＳ／ＴＲＳポートという用語が、一定のリソース領域内でＣＲＳ／ＵＥ−ＲＳ／ＣＳＩ−ＲＳ／ＴＲＳが占有するＲＥのパターンを意味する用語として用いられることもある。
【００３０】
図１は、３ＧＰＰ無線アクセスネットワークの規格に基づく端末とＥ−ＵＴＲＡＮとの間の無線インターフェースプロトコル（Radio Interface Protocol）の制御プレーン（Control Plane）及びユーザプレーン（User Plane）の構造を示す図である。制御プレーンは、端末（User Equipment；ＵＥ）及びネットワークが呼（call）を管理するために用いる制御メッセージが送信される通信路を意味する。ユーザプレーンは、アプリケーション層で生成されたデータ、例えば、音声データ又はインターネットパケットデータなどが送信される通信路を意味する。
【００３１】
第１の層である物理層は、物理チャネル（Physical Channel）を用いて上位層に情報送信サービス（Information Transfer Service）を提供する。物理層は、上位にあるメディアアクセス（媒体接続）制御（Medium Access Control）層とは、トランスポート（送信）チャネル（Transport Channel）を介して連結される。このトランスポートチャネルを介してメディアアクセス制御層と物理層との間でデータが移動する。送信側と受信側との物理層間では、物理チャネルを介してデータが移動する。物理チャネルは、時間及び周波数を無線リソースとして活用する。具体的には、物理チャネルは、下りリンクにおいて、ＯＦＤＭＡ（Orthogonal Frequency Division Multiple Access）方式で変調され、上りリンクにおいては、ＳＣ−ＦＤＭＡ（Single Carrier Frequency Division Multiple Access）方式で変調される。
【００３２】
第２の層であるメディアアクセス制御（Medium Access Control；ＭＡＣ）層は、論理チャネル（Logical Channel）を介して上位層である無線リンク制御（Radio Link Control；ＲＬＣ）層にサービスを提供する。第２の層のＲＬＣ層は、信頼性のあるデータ送信をサポート（支援）する（supports）。ＲＬＣ層の機能は、ＭＡＣ内部の機能ブロックにより具現できる。第２の層のＰＤＣＰ（Packet Data Convergence Protocol）層は、帯域幅が狭い無線インターフェースにおいて、ＩＰｖ４又はＩＰｖ６などのＩＰパケットを効率的に送信するために不要な制御情報を減らすヘッダ圧縮（Header Compression）の機能を果たす。
【００３３】
第３の層である最下部に位置する無線リソース制御（Radio Resource Control；ＲＲＣ）層は、制御プレーンでのみ定義される。ＲＲＣ層は、無線ベアラ（Radio Bearer）の設定（Configuration）、再設定（Re-configuration）及び解除（Release）に関連して、論理チャネル、トランスポートチャネル及び物理チャネルの制御を担当する。無線ベアラは、端末とネットワークとの間のデータ伝達のために第２の層により提供されるサービスを意味する。このために、端末とネットワークとのＲＲＣ層は、互いにＲＲＣメッセージを交換する。端末とネットワークとのＲＲＣ層の間にＲＲＣ接続（連結）（RRC Connected）がある場合、端末は、ＲＲＣ接続状態（Connected Mode）となり、そうでない場合は、ＲＲＣアイドル（休止）状態（Idle Mode）となる。ＲＲＣ層の上位にあるＮＡＳ（Non-Access Stratum）層は、セッション管理（Session Management）及びモビリティ（移動性）管理（Mobility Management）などの機能を果たす。
【００３４】
ネットワークから端末にデータを送信する下りトランスポートチャネルとしては、システム情報を送信するＢＣＨ（Broadcast CHannel）、ページングメッセージを送信するＰＣＨ（Paging CHannel）、ユーザトラフィックや制御メッセージを送信する下りＳＣＨ（Shared CHannel）などがある。下りマルチキャスト又はブロードキャスト（放送）（broadcast）サービスのトラフィック又は制御メッセージの場合、下りＳＣＨを介して送信され、又は特の（別に定義された（separately defined））下りＭＣＨ（Multicast CHannel）を介して送信されることができる。なお、端末からネットワークにデータを送信する上りトランスポートチャネルとしては、初期制御メッセージを送信するＲＡＣＨ（Random Access CHannel）、ユーザトラフィックや制御メッセージを送信する上りＳＣＨ（Shared CHannel）がある。トランスポートチャネルの上位にありかつトランスポートチャネルにマッピングされる論理チャネル（Logical Channel）としては、ＢＣＣＨ（Broadcast Control CHannel）、ＰＣＣＨ（Paging Control CHannel）、ＣＣＣＨ（Common Control CHannel）、ＭＣＣＨ（Multicast Control CHannel）、ＭＴＣＨ（Multicast Traffic CHannel）などがある。
【００３５】
図２は、３ＧＰＰシステムに用いられる物理チャネル及びこれらを用いた一般的な信号送信方法を説明する図である。
【００３６】
端末は、電源がオンになったり新たにセルに進入した場合は、基地局と同期を取るなどの初期セルサーチ（探索）（Initial cell search）作業を行う（Ｓ２０１）。このために、端末は、基地局からプライマリ（主）同期チャネル（Primary Synchronization CHannel；Ｐ−ＳＣＨ）及びセカンダリ（副）同期チャネル（Secondary Synchronization CHannel；Ｓ−ＳＣＨ）を受信することによって、基地局と同期を取り、セルＩＤなどの情報を得ることができる。その後、端末は、基地局から物理ブロードキャスト（放送）チャネル（Physical Broadcast Channel）を受信してセル内のブロードキャスト情報を得ることができる。なお、端末は、初期セルサーチ段階において、下りリンク参照信号（DownLink Reference Signal；ＤＬ  ＲＳ）を受信して下りリンクチャネル状態を確認することができる。
【００３７】
初期セルサーチを終了した端末は、物理下りリンク制御チャネル（Physical Downlink Control CHannel；ＰＤＣＣＨ）及び該ＰＤＣＣＨに載せられた情報によって、物理下りリンク共有チャネル（Physical Downlink Control CHannel；ＰＤＳＣＨ）を受信することによって、より具体的なシステム情報を得ることができる（Ｓ２０２）。
【００３８】
一方、基地局に最初に接続したか又は信号送信のための無線リソースがない場合、端末は、基地局に対してランダムアクセス過程（Random Access Procedure；ＲＡＣＨ）を行うことができる（Ｓ２０３〜Ｓ２０６）。このために、端末は、物理ランダムアクセスチャネル（Physical Random Access CHannel；ＰＲＡＣＨ）を介して特定シーケンスをプリアンブルとして送信し（Ｓ２０３及びＳ２０５）、ＰＤＣＣＨ及び対応するＰＤＳＣＨを介してプリアンブルに対する応答メッセージを受信することができる（Ｓ２０４及びＳ２０６）。コンテンション（競合）（contention）ベースのＲＡＣＨの場合、さらに、衝突解決手順（Contention Resolution Procedure）を行うことができる。
【００３９】
上述した手順を行った端末は、その後、一般的な上り／下りリンク信号送信の手順として、ＰＤＣＣＨ／ＰＤＳＣＨの受信（Ｓ２０７）及び物理上りリンク共有チャネル（Physical Uplink Shared CHannel；ＰＵＳＣＨ）／物理上りリンク制御チャネル（Physical Uplink Control CHannel；ＰＵＣＣＨ）の送信（Ｓ２０８）を行う。特に、端末は、ＰＤＣＣＨを介して下りリンク制御情報（Downlink Control Information；ＤＣＩ）を受信する。ここで、ＤＣＩは、端末に対するリソース割り当て情報などの制御情報を含み、その使用目的に応じてフォーマットが互いに異なる。
【００４０】
一方、端末が上りリンクを通じて基地局に送信したり又は端末が基地局から受信したりする制御情報は、下り／上りリンクＡＣＫ／ＮＡＣＫ信号、ＣＱＩ（Channel Quality Indicator）、ＰＭＩ（Precoding Matrix Index）、ＲＩ（Rank Indicator）などを含む。３ＧＰＰ  ＬＴＥシステムの場合、端末は、上述したＣＱＩ／ＰＭＩ／ＲＩなどの制御情報をＰＵＳＣＨ及び／又はＰＵＣＣＨを介して送信することができる。
【００４１】
図３は、ＬＴＥ／ＬＴＥ−Ａベースの無線通信システムにおいて、同期信号（Synchronization Signal，ＳＳ）の送信のための無線フレームの構造を例示する図である。特に、図３は、周波数分割デュプレックス（Frequency Division Duplex，ＦＤＤ）において同期信号及びＰＢＣＨの送信のための無線フレームの構造を例示するものであり、図３（ａ）は、ノーマル（正規）ＣＰ（Normal Cyclic Prefix）として設定された（configured）無線フレームにおいて、ＳＳ及びＰＢＣＨの送信位置を示す図であり、図３（ｂ）は、拡張ＣＰ（extended CP）として設定された無線フレームにおいて、ＳＳ及びＰＢＣＨの送信位置を示す図である。
【００４２】
以下、図３を参照して、ＳＳをより具体的に説明する。ＳＳは、ＰＳＳ（Primary Synchronization Signal）とＳＳＳ（Secondary Synchronization Signal）とに区分される。ＰＳＳは、ＯＦＤＭシンボル同期、スロット同期などの時間領域（ドメイン）同期（time-domain synchronization）及び／又は周波数領域（ドメイン）同期（frequency-domain synchronization）を得るために用いられ、ＳＳＳは、フレーム同期、セルグループＩＤ及び／又はセルのＣＰ設定（configuration）（即ち、ノーマルＣＰ又は拡張ＣＰの使用情報）を得るために用いられる。図３を参照すると、ＰＳＳ及びＳＳＳは、各無線フレームの２つのＯＦＤＭシンボルでそれぞれ送信される。具体的には、ＳＳは、インターＲＡＴ（Inter Radio Access Technology）測定を容易にするために、ＧＳＭ（登録商標）（Global System for Mobile communication）フレームの長さである４．６ｍｓを考慮して、サブフレーム０の第１番目のスロットとサブフレーム５の第１番目のスロットとでそれぞれ送信される。特に、ＰＳＳは、サブフレーム０の第１番目のスロットの最後のＯＦＤＭシンボルとサブフレーム５の第１番目のスロットの最後のＯＦＤＭシンボルとでそれぞれ送信され、ＳＳＳは、サブフレーム０の第１番目のスロットの最後から第２番目のＯＦＤＭシンボルとサブフレーム５の第１番目のスロットの最後から第２番目のＯＦＤＭシンボルとでそれぞれ送信される。当該無線フレームの境界は、ＳＳＳによって検出できる。ＰＳＳは、当該スロットの最後のＯＦＤＭシンボルで送信され、ＳＳＳは、ＰＳＳの直前のＯＦＤＭシンボルで送信される。ＳＳの送信ダイバーシチ（diversity）方式は、単一アンテナポート（single antenna port）のみを用い、標準では特に定義していない。
【００４３】
ＰＳＳは、５ｍｓごとに送信されるため、ＵＥは、ＰＳＳを検出することで、当該サブフレームがサブフレーム０及びサブフレーム５のうちの１つであることが分かるが、当該サブフレームがサブフレーム０及びサブフレーム５のうちのいずれであるかは、具体的に分からない。よって、ＵＥは、ＰＳＳのみでは、無線フレームの境界を認知できない。即ち、ＰＳＳのみでは、フレーム同期が得られない。ＵＥは、１つの無線フレームにおいて２回送信されるものの、互いに異なるシーケンスとして送信されるＳＳＳを検出することで、無線フレームの境界を検出する。
【００４４】
ＰＳＳ／ＳＳＳを用いたセル（cell）探索過程を行い、ＤＬ信号の復調（demodulation）及びＵＬ信号の送信を正確な時点で行うのに必要な時間及び周波数パラメータを決定したＵＥは、また、ｅＮＢから、ＵＥのシステム設定（system configuration）に必要なシステム情報を取得してこそ、上記ｅＮＢと通信することができる。
【００４５】
システム情報は、マスタ情報ブロック（Master Information Block，ＭＩＢ）及びシステム情報ブロック（System Information Block，ＳＩＢ）によって設定される（configured）。各システム情報ブロックは、機能的に関連するパラメータのセットを含み、この含まれるパラメータに応じて、マスタ情報ブロック（Master Information Block，ＭＩＢ）及びシステム情報ブロックタイプ１（System Information Block Type 1，ＳＩＢ１）、システム情報ブロックタイプ２（System Information Block Type 2，ＳＩＢ２）、ＳＩＢ３〜ＳＩＢ１７に区分できる。
【００４６】
ＭＩＢは、ＵＥがｅＮＢのネットワーク（network）に初期アクセス（接続）（initial access）するのに必須の、最も頻繁に送信されるパラメータを含む。ＵＥは、ＭＩＢをブロードキャストチャネル（例えば、ＰＢＣＨ）を介して受信することができる。ＭＩＢには、下りリンクシステム帯域幅（DL-BandWidth，ＤＬ  ＢＷ）、ＰＨＩＣＨ設定（configuration）、システムフレームナンバ（ＳＦＮ）が含まれる。よって、ＵＥは、ＰＢＣＨを受信することで、明示的（explicit）に、ＤＬ  ＢＷ、ＳＦＮ、ＰＨＩＣＨ設定に関する情報が分かる。一方、ＰＢＣＨの受信によってＵＥが暗示的（implicit）に分かる情報としては、ｅＮＢの送信アンテナポートの数がある。ｅＮＢの送信アンテナ数に関する情報は、ＰＢＣＨのエラー検出に用いられる１６ビットＣＲＣ（Cyclic Redundancy Check）に送信アンテナ数に対応するシーケンスをマスク（例えば、ＸＯＲ演算）して、暗示的にシグナルリングされる。
【００４７】
ＳＩＢ１は、他のＳＩＢの時間領域スケジューリングに関する情報のみならず、特定のセルがセル選択に適したセルであるか否かを判断するのに必要なパラメータを含む。ＳＩＢ１は、ブロードキャストシグナリング又は専用（dedicated）シグナリングによってＵＥに受信される。
【００４８】
ＤＬ搬送波周波数及び当該システム帯域幅は、ＰＢＣＨが運ぶＭＩＢによって得ることができる。ＵＬ搬送波周波数及び当該システム帯域幅は、ＤＬ信号であるシステム情報によって得られる。ＭＩＢを受信したＵＥは、当該セルに対して記憶された（stored）有効なシステム情報がないと、システム情報ブロックタイプ２（System Information Block Type 2，ＳＩＢ２）が受信されるまで、ＭＩＢ内のＤＬ  ＢＷの値をＵＬ帯域幅（ＵＬ  ＢＷ）に適用する。例えば、ＵＥは、システム情報ブロックタイプ２（System Information Block Type 2，ＳＩＢ２）を取得して、上記ＳＩＢ２内のＵＬ搬送波周波数及びＵＬ帯域幅情報によって、ＵＥがＵＬ送信に使用可能な全体のＵＬシステム帯域を把握することができる。
【００４９】
周波数領域において、ＰＳＳ／ＳＳＳ及びＰＢＣＨは、実際のシステム帯域幅とは関係なく、当該ＯＦＤＭシンボルにおいてＤＣ副搬送波を中心として、左右３個ずつ、全６個のＲＢ、即ち、全７２個の副搬送波内でのみ送信される。よって、ＵＥは、ＵＥに設定された（configured）下りリンク送信帯域幅とは関係なく、ＳＳ及びＰＢＣＨを検出（detect）又は復号（decode）できるように設定される（configured）。
【００５０】
初期セルサーチを終えたＵＥは、ｅＮＢへの接続を完了するために、ランダムアクセス過程（random access procedure）を行うことができる。このために、ＵＥは、物理ランダムアクセスチャネル（Physical Random Access CHannel，ＰＲＡＣＨ）を通じてプリアンブル（preamble）を送信し、ＰＤＣＣＨ及びＰＤＳＣＨを通じてプリアンブルへの応答メッセージを受信することができる。コンテンションベースのランダムアクセス（contention based random access）の場合、更なるＰＲＡＣＨの送信、また、ＰＤＣＣＨ及びＰＤＣＣＨに対応するＰＤＳＣＨなどの衝突解決手順（contention resolution procedure）を行うことができる。
【００５１】
上述したような手順を行ったＵＥは、その後、一般的な上りリンク／下りリンク信号送信手順として、ＰＤＣＣＨ／ＰＤＳＣＨ受信及びＰＵＳＣＨ／ＰＵＣＣＨ送信を行うことができる。
【００５２】
上述したランダムアクセス過程は、ランダムアクセスチャネル（Random Access CHannel，ＲＡＣＨ）過程とも呼ばれる。ランダムアクセス過程は、初期アクセス、上りリンク同期調整（UL synchronization adjustment）、リソース割り当て、ハンドオーバなどの用途などに様々に用いられる。ランダムアクセス過程は、コンテンションベース（contention-based）過程と、専用（dedicated）（即ち、非コンテンションベース（non-contention-based））過程と、に分類できる。コンテンションベースのランダムアクセス過程は、初期アクセスを含んで一般的に用いられ、専用ランダムアクセス過程は、ハンドオーバなどに制限的に用いられる。コンテンションベースのランダムアクセス過程において、ＵＥは、ＲＡＣＨプリアンブルシーケンスを任意に（randomly）選択する。よって、複数のＵＥが、同時に同一のＲＡＣＨプリアンブルシーケンスを送信することが可能であり、これによって、その後に衝突解決手順が必要となる。一方、専用ランダムアクセス過程において、ＵＥは、ｅＮＢが当該ＵＥに専用に（唯一に）（dedicatedly）割り当てたＲＡＣＨプリアンブルシーケンスを用いる。よって、他のＵＥとの衝突なくランダムアクセス過程を行うことができる。
【００５３】
コンテンションベースのランダムアクセス過程は、以下の４ステップを含む。以下、ステップ１〜４で送信されるメッセージのそれぞれをメッセージ１〜４（Ｍｓｇ１〜Ｍｓｇ４）と称する。
【００５４】
−  ステップ１：ＲＡＣＨプリアンブル（ｖｉａ  ＰＲＡＣＨ）（ＵＥ  ｔｏ  ｅＮＢ）
【００５５】
−  ステップ２：ランダムアクセス応答（Random Access Response，ＲＡＲ）（ｖｉａ  ＰＤＣＣＨ及びＰＤＳＣＨ）（ｅＮＢ  ｔｏ  ＵＥ）
【００５６】
−  ステップ３：レイヤ２／レイヤ３メッセージ（ｖｉａ  ＰＵＳＣＨ）（ＵＥ  ｔｏ  ｅＮＢ）
【００５７】
−  ステップ４：衝突解決（contention resolution）メッセージ（ｅＮＢ  ｔｏ  ＵＥ）
【００５８】
専用ランダムアクセス過程は、以下の３ステップを含む。以下、ステップ０〜２で送信されるメッセージのそれぞれを、メッセージ０〜２（Ｍｓｇ０〜Ｍｓｇ２）と称する。ランダムアクセス過程の一部として、ＲＡＲに対応する上りリンク送信（即ち、ステップ３）を行うこともできる。専用ランダムアクセス過程は、基地局がＲＡＣＨプリアンブルの送信を命じるためのＰＤＣＣＨ（以下、ＰＤＣＣＨオーダ（order））を用いてトリガされることができる。
【００５９】
−  ステップ０：専用シグナリングによるＲＡＣＨプリアンブル割り当て（ｅＮＢ  ｔｏ  ＵＥ）
【００６０】
−  ステップ１：ＲＡＣＨプリアンブル（ｖｉａ  ＰＲＡＣＨ）（ＵＥ  ｔｏ  ｅＮＢ）
【００６１】
−  ステップ２：ランダムアクセス応答（ＲＡＲ）（ｖｉａ  ＰＤＣＣＨ及びＰＤＳＣＨ）（ｅＮＢ  ｔｏ  ＵＥ）
【００６２】
ＲＡＣＨプリアンブルを送信した後、ＵＥは、予め設定された時間ウィンドウ内でランダムアクセス応答（ＲＡＲ）の受信を試みる。具体的には、ＵＥは、時間ウィンドウ内でＲＡ−ＲＮＴＩ（Random Access RNTI）を有するＰＤＣＣＨ（以下、ＲＡ−ＲＮＴＩ  ＰＤＣＣＨ）（例えば、ＰＤＣＣＨにおいてＣＲＣがＲＡ−ＲＮＴＩでマスクされる）の検出を試みる。ＲＡ−ＲＮＴＩ  ＰＤＣＣＨの検出時に、ＵＥは、ＲＡ−ＲＮＴＩ  ＰＤＣＣＨに対応するＰＤＳＣＨ内に、ＵＥのためのＲＡＲが存在するか否かを確認する。ＲＡＲは、ＵＬ同期のためのタイミングオフセット情報を示すタイミングアドバンス（Timing Advance，ＴＡ）情報、ＵＬリソース割り当て情報（ＵＬグラント情報）、一時（仮り）端末識別子（temporary UE identifier）（例えば、ｔｅｍｐｏｒａｒｙ  ｃｅｌｌ−ＲＮＴＩ，  ＴＣ−ＲＮＴＩ）などを含む。ＵＥは、ＲＡＲ内のリソース割り当て情報及びＴＡ値に応じてＵＬ送信（例えば、Ｍｓｇ３）を行うことができる。ＲＡＲに対応するＵＬ送信には、ＨＡＲＱが適用される。したがって、ＵＥは、Ｍｓｇ３を送信した後、Ｍｓｇ３に対応する受信応答情報（例えば、ＰＨＩＣＨ）を受信することができる。
【００６３】
ランダムアクセスプリアンブル、即ち、ＲＡＣＨプリアンブルは、物理層において長さＴCPのサイクリックプリフィックス（循環前置）（cyclic prefix）及び長さＴSEQのシーケンスからなる。ＴCPのＴSEQは、フレーム構造及びランダムアクセス設定（configuration）に依存する（depend on）。プリアンブルフォーマットは、上位層によって制御される。ＲＡＣＨプリアンブルは、ＵＬサブフレームから送信される。ランダムアクセスプリアンブルの送信は、特定の時間及び周波数リソースに制限（restrict）される。このようなリソースをＰＲＡＣＨリソースと呼び、ＰＲＡＣＨリソースは、インデックス０が無線フレームにおいて低い番号のＰＲＢ及びサブフレームに対応するように、上記無線フレーム内のサブフレーム番号及び周波数領域においてＰＲＢの増加順（ascending order）に番号付けられる。ランダムアクセスリソースは、ＰＲＡＣＨ設定インデックスによって定義される（３ＧＰＰ  ＴＳ  ３６．２１１標準文書を参照）。ＰＲＡＣＨ設定インデックスは、（ｅＮＢによって送信される）上位層信号によって与えられる。
【００６４】
ＬＴＥ／ＬＴＥ−Ａシステムにおいて、ランダムアクセスプリアンブル、即ち、ＲＡＣＨプリアンブルのための副搬送波間隔（Subcarrier Spacing）は、プリアンブルフォーマット０〜３の場合は１．２５ｋＨｚであり、プリアンブルフォーマット４の場合は７．５ｋＨｚであると規定される（３ＧＰＰ  ＴＳ  ３６．２１１を参照）。
【００６５】
＜ＯＦＤＭニューマロロジ＞
【００６６】
新たなＲＡＴシステムでは、ＯＦＤＭ送信方式又はこれと類似している送信方式が用いられる。新たなＲＡＴシステムでは、ＬＴＥのＯＦＤＭパラメータとは異なるＯＦＤＭパラメータを用いて（従って）もよい。あるいは、新たなＲＡＴシステムでは、既存のＬＴＥ／ＬＴＥ−Ａのニューマロロジにそのまま従ってもよく、より大きいシステム帯域幅（例えば、１００ＭＨｚ）を有してもよい。あるいは、１つのセルが複数のニューマロロジをサポートしてもよい。即ち、互いに異なるニューマロロジで動作するＵＥが１つのセル内で共存してもよい。
【００６７】
＜サブフレームの構造＞
【００６８】
３ＧＰＰ  ＬＴＥ／ＬＴＥ−Ａシステムにおいて用いられる無線フレームは、１０ｍｓ（３０７２００Ｔs）の長さを有し、１０個の均等な大きさのサブフレーム（SubFrame，ＳＦ）からなる。１つの無線フレーム内の１０個のサブフレームには、それぞれ番号が付与されてもよい。ここで、Ｔsは、サンプリング時間を示し、Ｔs＝１／（２０４８＊１５ｋＨｚ）で表される。それぞれのサブフレームの長さは、１ｍｓであり、２個のスロットからなる。１つの無線フレーム内で、２０個のスロットは、０から１９まで順次ナンバリングされる。それぞれのスロットの長さは、０．５ｍｓである。１つのサブフレームを送信するための時間は、送信時間間隔（Transmission Time Interval，ＴＴＩ）と定義される。時間リソースは、無線フレーム番号（又は無線フレームインデックスともいう）、サブフレーム番号（又はサブフレームインデックスともいう）、スロット番号（又はスロットインデックス）などで区別され（分けられ）る（distinguished）。ＴＴＩとは、データがスケジューリングされる間隔を意味する。例えば、現在のＬＴＥ／ＬＴＥ−Ａシステムにおいて、ＵＬグラント又はＤＬグラントの送信機会は、１ｍｓごとに存在し、１ｍｓより短い時間でＵＬ／ＤＬグラント機会が数回存在することはない。よって、既存のＬＴＥ／ＬＴＥ−Ａシステムにおいて、ＴＴＩは１ｍｓである。
【００６９】
図４は、新たな無線アクセス技術（New Radio access technology，ＮＲ）において利用可能なスロット構造を例示する図である。
【００７０】
データ送信の遅れを最小にするために、５世代の新たなＲＡＴでは、制御チャネルとデータチャネルとが時間分割多重化（Time Division Multiplexing，ＴＤＭ）されるスロット構造が考慮されている。
【００７１】
図４において、斜線領域は、ＤＣＩを運ぶＤＬ制御チャネル（例えば、ＰＤＣＣＨ）の送信領域を示し、黒い領域は、ＵＣＩを運ぶＵＬ制御チャネル（例えば、ＰＵＣＣＨ）の送信領域を示す。ここで、ＤＣＩは、ｇＮＢがＵＥに伝達する制御情報であり、上記ＤＣＩは、上記ＵＥが知るべきセル設定（configuration）に関する情報、ＤＬスケジューリングなどのＤＬ固有（特定的）（specific）情報、また、ＵＬグラントなどのＵＬ固有（特定的）情報などを含んでもよい。また、ＵＣＩは、ＵＥがｇＮＢに伝達する制御情報であり、上記ＵＣＩは、ＤＬデータに対するＨＡＲＱ  ＡＣＫ／ＮＡＣＫ報告、ＤＬチャネル状態に対するＣＳＩ報告、また、スケジューリング要求（Scheduling Request，ＳＲ）などを含んでもよい。
【００７２】
図４において、シンボルインデックス１からシンボルインデックス１２までのシンボル領域は、下りリンクデータを運ぶ物理チャネル（例えば、ＰＤＳＣＨ）の送信に用いられてもよく、上りリンクデータを運ぶ物理チャネル（例えば、ＰＵＳＣＨ）の送信に用いられてもよい。図４のスロット構造によれば、１つのスロット内でＤＬ送信とＵＬ送信とが順次行われ、ＤＬデータの送信／受信と上記ＤＬデータに対するＵＬ  ＡＣＫ／ＮＡＣＫの受信／送信とが上記１つのスロット内で行われる。結果として、データ送信エラーが発生したとき、データの再送信までにかかる時間を減らすことになり、これにつれて最終データの伝達の遅れを最小にすることができる。
【００７３】
このスロット構造では、ｇＮＢ及びＵＥが送信モードから受信モードへ切り換える過程又は受信モードから送信モードへ切り換える過程のためのタイムギャップ（time gap）が必要である。このような送信モードと受信モードとの切換過程のために、スロット構造においてＤＬからＵＬへ切り換えられる時点の一部のＯＦＤＭシンボルがガード区間（Guard Period，ＧＰ）として設定される。
【００７４】
既存のＬＴＥ／ＬＴＥ−Ａシステムにおいて、ＤＬ制御チャネルは、データチャネルとＴＤＭされ、制御チャネルであるＰＤＣＣＨは、システムの全帯域に跨がって（広がって）（across）送信される。しかしながら、新たなＲＡＴでは、一つのシステムの帯域幅が少なくとも略１００ＭＨｚに達することが予想されるため、制御チャネルを全帯域に跨がって（広げて）送信するには無理がある。ＵＥがデータの送信／受信のために、下りリンク制御チャネルを受信するために全帯域をモニタリングすることは、ＵＥのバッテリ消耗の増大及び効率性の阻害の可能性がある。よって、本発明では、ＤＬ制御チャネルが、システム帯域、即ち、チャネル帯域内の一部の周波数帯域でローカライズ（localize）されて送信されてもよく、分散（distribute）されて送信されてもよい。
【００７５】
ＮＲシステムにおける基本送信単位（basic transmission unit）は、スロットである。スロット区間（duration）は、ノーマル（normal）サイクリックプリフィックス（Cyclic Prefix，ＣＰ）を有する１４個のシンボル、又は拡張（延長）ＣＰを有する１２個のシンボルからなる。また、スロットは、使われた副搬送波間隔（Subcarrier Spacing）の関数として時間でスケーリングされる。即ち、副搬送波間隔が大きくなると、スロットの長さは短くなる。例えば、スロット当たりのシンボルの数が１４である場合、１０ｍｓのフレーム内のスロットの数は、１５ｋＨｚの副搬送波間隔に対して１０個であれば、３０ｋＨｚの副搬送波間隔に対しては２０個、６０ｋＨｚの副搬送波間隔に対しては４０個になる。副搬送波間隔が大きくなると、ＯＦＤＭシンボルの長さも短くなる。スロット内のＯＦＤＭシンボルの数は、ノーマルＣＰと拡張ＣＰとで異なり、副搬送波間隔によっては異ならない。ＬＴＥ用の基本時間ユニットであるＴsは、ＬＴＥの基本副搬送波間隔の１５ｋＨｚと最大ＦＦＴサイズの２０４８とを考慮して、Ｔs＝１／（１５０００＊２０４８）秒と定義され、これは、１５ｋＨｚの副搬送波間隔に対するサンプリング時間でもある。ＮＲシステムでは、１５ｋＨｚの副搬送波間隔の他に様々な副搬送波間隔が用いられ、副搬送波間隔と当該時間の長さとは反比例するため、１５ｋＨｚよりも大きい副搬送波間隔に対応する実際のサンプリング時間は、Ｔs＝１／（１５０００＊２０４８）秒よりも短い。例えば、副搬送波間隔が３０ｋＨｚ、６０ｋＨｚ、１２０ｋＨｚである実際のサンプリング時間は、それぞれ、１／（２＊１５０００＊２０４８）秒、１／（４＊１５０００＊２０４８）秒、１／（８＊１５０００＊２０４８）秒になる。
【００７６】
＜アナログビームフォーミング（analog beamforming）＞
【００７７】
近来、論議されている５世代移動通信システムは、広い周波数帯域を用いて、複数のユーザへの高い送信レート（率）（transmission rate）を保持しながらデータを送信するために、高い超高周波帯域、即ち、６ＧＨｚ以上のミリ波（ミリメートル）周波数帯域を用いる方式を考慮している。３ＧＰＰでは、これをＮＲと称しているが、本発明では、ＮＲシステムと称する。しかしながら、ミリ波周波数帯域は、高過ぎる周波数帯域を用いることによって、距離による信号の減衰（減殺）（attenuation）が激しく示される周波数特性を有する。よって、少なくとも６ＧＨｚ以上の帯域を用いるＮＲシステムでは、激しい伝播減衰特性を補償するために、信号送信を全方向ではなく特定方向へとエネルギを集めて送信することで、激しい伝播減衰によるカバレッジ減少の問題を解決する狭ビーム（narrow beam）送信法が用いられる。しかしながら、１つの狭ビームのみを用いてサービスを提供する場合、１つの基地局がサービスできる範囲が狭くなるので、基地局は、複数の狭ビームを集めて広帯域でサービスを提供することになる。
【００７８】
ミリ波周波数帯域、即ち、ミリ波長（Millimeter Wave，ｍｍＷ）帯域では、波長が短くなり、同一面積に複数のアンテナ要素（element）を取り付けることができる。例えば、１ｃｍ程度の波長の３０ＧＨｚ帯域では、５×（ｂｙ）５ｃｍのパネル（panel）に０．５ラムダ（lambda）（波長）間隔で、２次元（dimension）配列の形態として全１００個のアンテナ要素を取り付けることができる。したがって、ｍｍＷでは、複数のアンテナ要素を用いて、ビームフォーミングの利得を高めて、カバレッジを増加させたり、処理量（throughput）を高めることが考えられる。
【００７９】
ミリ波周波数帯域で狭ビームを形成するための方法として、基地局やＵＥにおいて数多くのアンテナに適宜な（appropriate）位相差を用いて同信号を送信することで、特定方向のみにおいてエネルギを高くするビームフォーミング方式が主に考慮されている。このようなビームフォーミング方式には、デジタルベースバンド（基底帯域）（baseband）信号に位相差を形成するデジタルビームフォーミング、変調されたアナログ信号に時間の遅れ（即ち、巡回シフト）を用いて位相差を形成するアナログビームフォーミング、デジタルビームフォーミングとアナログビームフォーミングとを両方用いるハイブリッドビームフォーミングなどがある。各アンテナ要素で送信電力（パワー）（transmission power）及び位相調節ができるようにトランシーバユニット（TRansceiver Unit，ＴＸＲＵ）を有すれば、各周波数リソースに対して独立したビームフォーミングが可能となる。しかしながら、１００個余りのアンテナ要素の全てにＴＸＲＵを設けるには、コスト面において実効性が落ちる問題がある。即ち、ミリ波周波数帯域は、激しい伝播減衰の特性を補償するために、数多くのアンテナを使用しなければならず、デジタルビームフォーミングは、アンテナの数分だけＲＦコンポーネント（例えば、デジタルアナログコンバータ（ＤＡＣ）、ミキサ（mixer）、電力増幅器（power amplifier）、線形増幅器（linear amplifier）など）が必要となるため、ミリ波周波数帯域においてデジタルビームフォーミングを具現するためには、通信機器の値段が増加してしまう問題点がある。したがって、ミリ波周波数帯域のように、多くのアンテナが必要な場合は、アナログビームフォーミング又はハイブリッドビームフォーミング方式が考慮される。アナログビームフォーミング方式は、１つのＴＸＲＵに複数のアンテナ要素をマッピングし、アナログ位相シフタ（analog phase shifter）でビーム（beam）の方向を調節する。かかるアナログビームフォーミング方式は、全帯域において１つのビーム方向しかを形成することができないため、周波数選択的なビームフォーミング（Beamforming，ＢＦ）はできないというデメリットがある。ハイブリッドＢＦは、デジタルＢＦとアナログＢＦとの中間形態であって、Ｑ個のアンテナ要素よりも少ないＢ個のＴＸＲＵを有する方式である。ハイブリッドＢＦの場合、Ｂ個のＴＸＲＵとＱ個のアンテナ要素との接続（連結）方式（connections）によって差異はあるが、同時に送信可能なビームの方向は、Ｂ個以下に制限される。
【００８０】
図５は、ＴＸＲＵとアンテナ要素との接続方式の一例を示す図である。
【００８１】
図５（ａ）は、ＴＸＲＵがサブアレイ（sub-array）に接続された方式を示している。この場合、アンテナ要素は、１つのＴＸＲＵにのみ接続される。これとは異なり、図５（ｂ）は、ＴＸＲＵが全てのアンテナ要素に接続された方式を示している。この場合、アンテナ要素は、全てのＴＸＲＵに接続される。図５において、Ｗは、アナログ位相シフタにより乗じられる位相ベクトルを示す。即ち、Ｗによって、アナログビームフォーミングの方向が決定される。ここで、ＣＳＩ−ＲＳアンテナポートとＴＸＲＵとのマッピングは、一対一又は一対多である。
【００８２】
上述したように、デジタルビームフォーミングでは、送信する又は受信したデジタルベースバンド信号に対して信号処理を行うため、複数（多重）の（multiple）ビームを用いて同時に多方向で信号を送信又は受信することができるが、一方、アナログビームフォーミングでは、送信する又は受信したアナログ信号を変調した状態でビームフォーミングを行うため、１つのビームがカバーできる範囲を超える多方向で信号を同時に送信又は受信することができない。通常、基地局は、広帯域送信又はマルチ（多重）アンテナ（multiple antenna）特性を用いて、同時に複数のユーザと通信を行うが、基地局がアナログ又はハイブリッドビームフォーミングを用いて、１つのビーム方向にアナログビームを形成する場合には、アナログビームフォーミングの特性から、同じアナログビームの方向内に含まれるユーザとしか通信できない。後述する本発明に係るＲＡＣＨリソース割り当て及び基地局のリソース活用方式は、アナログビームフォーミング又はハイブリッドビームフォーミングの特性から生じる制約事項を反映した上で提案される。
【００８３】
＜ハイブリッドアナログビームフォーミング（hybrid analog beamforming）＞
【００８４】
図６は、送受信器ユニット（transceiver unit，ＴＸＲＵ）及び物理アンテナの観点からハイブリッドビームフォーミングの構造を簡単に示す図である。
【００８５】
複数のアンテナが用いられる場合、デジタルビームフォーミングとアナログビームフォーミングとを組み合わせたハイブリッドビームフォーミング法が台頭している。このとき、アナログビームフォーミング（又は、ＲＦビームフォーミング）は、トランシーバ（ＲＦユニット）がプリコーディング（又は、コンバイニング）を行う動作を意味する。ハイブリッドビームフォーミングにおいて、ベースバンド（baseband）ユニット及びトランシーバ（ＲＦユニット）は、それぞれプリコーディング（又は、コンバイニング）を行い、これによって、ＲＦチェーン（chain）の数並びにＤ／Ａ（若しくはＡ／Ｄ）コンバータの数を減らしながらも、デジタルビームフォーミングに近づく性能が出せるというメリットがある。便宜のために、ハイブリッドビームフォーミングの構造は、Ｎ個のＴＸＲＵとＭ個の物理アンテナとで表現できる。送信端から送信するＬ個のデータレイヤに対するデジタルビームフォーミングは、Ｎ×Ｌ行列で表され、その後、変換されたＮ個のデジタル信号は、ＴＸＲＵを経てアナログ信号に変換された後、Ｍ×Ｎ行列で表されるアナログビームフォーミングが適用される。図６において、デジタルビームの数はＬであり、アナログビームの数はＮである。さらに、ＮＲシステムでは、アナログビームフォーミングをシンボル単位で変更できるように基地局を設計し、特定の地域に位置するＵＥにより効率的なビームフォーミングをサポートする方向が考慮されている。ひいては、Ｎ個のＴＸＲＵとＭ個のＲＦアンテナとを１つのアンテナパネル（panel）として定義するとき、ＮＲシステムでは、互いに独立したハイブリッドビームフォーミングが適用可能な複数のアンテナパネルを導入する方式まで考慮されている。このように、基地局が複数のアナログビームを活用する場合、各々のＵＥにおいて信号受信に有利なアナログビームが異なることがあるため、少なくとも、同期信号、システム情報、ページングなどについては、特定のスロット又はサブフレーム（SubFrame，ＳＦ）において、基地局が適用する複数のアナログビームを各シンボルで変更して、全てのＵＥに受信機会を与えるようにするビームスイーピング動作が考慮されている。
【００８６】
図７は、下りリンク送信過程において同期信号及びシステム情報に対するビームスイーピング（Beam sweeping）動作を示す図である。図７において、Ｎｅｗ  ＲＡＴシステムのシステム情報がブロードキャスト（Broadcasting）される物理リソース又は物理チャネルをｘＰＢＣＨ（Physical Broadcast CHannel）と呼ぶ。このとき、１つのシンボルにおいて、互いに異なるアンテナパネルに属するアナログビーム（Analog beam）が同時に送信されることができ、各々のアナログビーム（Analog beam）のチャネルを測定するために、図７のように、特定のアンテナパネルに対応する単一アナログビーム（Analog beam）のために送信される参照信号（Reference Signal；ＲＳ）であるＢｅａｍ  ＲＳ（ＢＲＳ）を導入する方式が論議されている。このＢＲＳは、複数のアンテナポートに対して定義されることができ、ＢＲＳの各アンテナポートは、単一アナログビーム（Analog beam）に対応することができる。このとき、ＢＲＳとは異なり、同期信号（Synchronization signal）又はｘＰＢＣＨは、任意のＵＥが良好に受信できるように、アナログビームグループ（Analog beam group）に含まれた全てのアナログビーム（Analog beam）のために送信されてもよい。
【００８７】
図８は、新たな無線アクセス技術（New Radio access technology，ＮＲ）システムのセルを例示する図である。
【００８８】
図８を参照すると、ＮＲシステムでは、従来のＬＴＥなどの無線通信システムに１つの基地局が１つのセルを形成していたのとは異なり、複数のＴＲＰが１つのセルを構成する方式が論議されている。複数のＴＲＰが１つのセルを構成する場合、ＵＥにサービスを提供するＴＲＰが変更されても、シームレスな（絶えない）通信（seamless communication）が可能となり、ＵＥのモビリティを管理することが容易であるというメリットがある。
【００８９】
ＬＴＥ／ＬＴＥ−Ａシステムにおいて、ＰＳＳ／ＳＳＳは、全方位（omni-direction）に送信されるのに対して、ｍｍＷａｖｅを適用するｇＮＢがビーム方向を全方位に回しながらＰＳＳ／ＳＳＳ／ＰＢＣＨなどの信号をビームフォーミングして送信する方法が考慮されている。このように、ビーム方向を回しながら信号を送信／受信することをビームスイーピング（beam sweeping）又はビームスキャンという。本発明における「ビームスイーピング」は、送信器側の行動であり、「ビームスキャン」は、受信器側の行動である。例えば、ｇＮＢが最大Ｎ個のビーム方向を持つことができると仮定すると、Ｎ個のビーム方向のそれぞれに対してＰＳＳ／ＳＳＳ／ＰＢＣＨなどの信号を送信する。即ち、ｇＮＢは、自体が持つことのできる又はサポートしようとする方向をスイーピングしながら、それぞれの方向に対してＰＳＳ／ＳＳＳ／ＰＢＣＨなどの同期信号を送信する。あるいは、ｇＮＢがＮ個のビームを形成できる場合、いくつかのビームを束ねて１つのビームグループとして構成することができ、各ビームグループでＰＳＳ／ＳＳＳ／ＰＢＣＨが送信／受信されることができる。このとき、１つのビームグループは、１つ又は複数のビームを含む。同方向に送信されるＰＳＳ／ＳＳＳ／ＰＢＣＨなどの信号が１つのＳＳＢとして定義されてもよく、１つのセル内に複数のＳＳＢが存在してもよい。複数のＳＳＢが存在する場合、各々のＳＳＢを識別（区分）する（identify）ために、ＳＳＢインデックスを使用してもよい。例えば、１つのシステムにおいて１０個のビーム方向にＰＳＳ／ＳＳＳ／ＰＢＣＨが送信される場合、同方向へのＰＳＳ／ＳＳＳ／ＰＢＣＨが１つのＳＳＢを構成することができ、当該システムでは、１０個のＳＳＢが存在すると理解されてもよい。本発明において、ビームインデックスは、ＳＳＢインデックスとして解釈されてもよい。
【００９０】
以下、本発明の実施例による同期信号が送信される時間インデックスを指示する方法及び同期信号を介して下りリンクのためのＣＯＲＥＳＥＴ及び帯域幅を設定する方法について説明する。
【００９１】
１．ＳＳ／ＰＢＣＨブロック
【００９２】
（１）６ＧＨｚ以上の帯域において実際に送信されるＳＳ／ＰＢＣＨブロックに関する情報を圧縮した形態で指示
【００９３】
６ＧＨｚ以上の帯域において、ネットワークは、ＲＭＳＩ（Remaining Minimum System Information）を介してＧｒｏｕｐ−Ｂｉｔｍａｐ（８ビット）＋Ｂｉｔｍａｐ  ｉｎ  Ｇｒｏｕｐ（８ビット）である、全１６ビットを用いて、実際に送信されるＳＳ／ＰＢＣＨブロックに関する情報を端末に伝達する。これは、シグナリングオーバーヘッドと柔軟性（flexibility）との均衡を考慮した設計である。全１６ビットよりも少ないビット数を用いて、実際に送信されるＳＳ／ＰＢＣＨブロックを送信する代案が他にあるものの、他の代案は、実際に送信されるＳＳ／ＰＢＣＨブロックに関する情報の表現（表示）（representing）において柔軟性に欠ける。即ち、ネットワークは、ＵＥの状態及び配置（deployment）のシナリオに従って、実際に送信されるＳＳ／ＰＢＣＨブロック情報を送信するためのリソースをできる限り柔軟に割り当てる必要があるが、グループ内のビットマップを有するグループビットマップ方式は、他の代案より低いビットサイズを用いて柔軟性を提供することができるため、実際に送信されるＳＳ／ＰＢＣＨブロックに関する情報を送信する方法として最も適する。
【００９４】
一方、ここで、ＲＭＳＩは、ＵＥがＰＢＣＨに含まれたＭＩＢをデコードし、これに基づいて取得されるシステム情報であって、ＳＩＢ１（System Information Block 1）とも呼ばれる。
【００９５】
（２）ＳＳ／ＰＢＣＨブロック設計
【００９６】
ＳＳエントリ数が少なくなるというメリットを有するように、２０個のＲＢの帯域幅でＳＳ／ＰＢＣＨブロックを設計することができる。また、データとＤＭＲＳとに対して同様に周波数−時間の順にマッピングするマッピング規則を適用してもよい。図９は、ＳＳ／ＰＢＣＨブロックの設計を示す。
【００９７】
図９を参照すると、３番目のＯＦＤＭシンボルにおいてＳＳＳがマッピングされなかったその他のＰＲＢは、ＰＢＣＨ送信に用いられるため、ＳＳＳ送信のためのパワー（電力）ブースティング（power boosting）が適用されない。よって、ＳＳＳ  ＲＥとＰＢＣＨ  ＤＭ−ＲＳ  ＲＥとの間のＥＰＲＥオフセットは、０ｄＢと決定される。よって、Ｃｅｌｌ−ＩＤを一度で検出することを保証（保障）（guarantee）できない可能性がある。Ｃｅｌｌ−ＩＤの検出性能が保証できれば、ＳＳＳ  ＲＥとＰＢＣＨ  ＤＭ−ＲＳ  ＲＥとの間に０ｄＢ  ＥＰＲＥオフセットを適用することができる。
【００９８】
一方、図９によるＰＢＣＨにおいて、ＰＢＣＨ送信のためのＲＥの数は、ＰＲＢ帯域幅が２４個であるＳＳ／ＰＢＣＨブロックの設計と同様に５７６個である。ＰＢＣＨのＤＭＲＳ密度及びＤＭＲＳマッピングがそもそもＳＳ／ＰＢＣＨ設計と同様であるという仮定の下、図９によるＰＢＣＨのデコーディング性能は、ＰＲＢ帯域幅が２４個であるＳＳ／ＰＢＣＨブロック設計と同様であることが予想されたが、３番目のＯＦＤＭシンボルにおいてＰＢＣＨ  ＤＭＲＳを用いる場合、チャネル推定性能が維持できないため、図９によるＳＳ／ＰＢＣＨブロック設計は、２４個のＰＲＢ帯域幅であるＳＳ／ＰＢＣＨブロックと同様なデコーディング性能を期待することは難しい。よって、ＰＢＣＨデコーディング性能の向上のために、以下のようなＰＢＣＨ  ＤＭＲＳマッピング方法を考慮する。
【００９９】
−  ＤＭＲＳ密度：シンボルごとにＲＢ当たり４つのＲＥ
【０１００】
−  ＤＭＲＳマッピング
【０１０１】
−  ＳＳ／ＰＢＣＨブロックの２番目及び４番目のシンボルに対する等密度（Equal density）マッピング
【０１０２】
−  ＳＳ／ＰＢＣＨブロックの３番目のシンボルに対するＤＭＲＳマッピングが無い
【０１０３】
上述した代案は、図９によるＳＳ／ＰＢＣＨブロックよりも良好なチャネル推定性能及びＰＢＣＨデコーディング性能を提供することができる。
【０１０４】
（３）評価結果
【０１０５】
図１０乃至図１３を参照して、上述した代案のＰＢＣＨデコーディング性能を比較する。上述したＰＢＣＨデコーディング性能の評価において、ＳＳバーストセットのデフォルトの周期性（即ち、２０ｍｓ）が用いられ、エンコードされたビットが８０ｍｓ内で送信されると仮定する。また、シミュレーションに関する詳細な仮定は、以下の［表１］の通りである。
【０１０６】
［表１］
【表１】
0006974482.tif 000002
【０１０７】
ＳＳ／ＰＢＣＨブロック設計の細部事項は、以下の通りである。
【０１０８】
１）代案１（図１０（ａ））：ＮＲ−ＰＢＣＨ送信のために２４個のＲＢを用いる２個のＯＦＤＭシンボルが用いられる。即ち、２４個のＲＢを用いるＳＳ／ＰＢＣＨブロックの２番目及び４番目のＯＦＤＭシンボルでＮＲ−ＰＢＣＨを送信（全４８個のＲＢ）
【０１０９】
−  ＤＭＲＳ密度：シンボルごとにＲＢ当たり３つのＲＥ
【０１１０】
−  ＤＭＲＳマッピング：ＳＳ／ＰＢＣＨブロックの２番目及び４番目のＯＦＤＭシンボルに対する等密度マッピング
【０１１１】
−  ＤＭＲＳのＲＥ数：１４４
【０１１２】
２）代案２（図１０（ｂ））：２０個のＲＢを有する２個のシンボルである、ＳＳ／ＰＢＣＨブロックの２番目及び４番目のＯＦＤＭシンボルと、８個のＲＢを有する１個のＯＦＤＭシンボルである、ＳＳ／ＰＢＣＨブロックの３番目のＯＦＤＭシンボルと、によってＮＲ−ＰＢＣＨを送信（全４８個のＲＢ）
【０１１３】
−  ＤＭＲＳ密度：シンボルごとにＲＢ当たり３つのＲＥ
【０１１４】
−  ＤＭＲＳマッピング：ＳＳ／ＰＢＣＨブロックの２、３、４個のＯＦＤＭシンボルに対する等密度（equal density）マッピング
【０１１５】
−  ＤＭＲＳのＲＥ数：１４４
【０１１６】
３）代案３（図１０（ｃ））：２０個のＲＢを有する２個のシンボルである、ＳＳ／ＰＢＣＨブロックの２番目及び４番目のＯＦＤＭシンボルと、８個のＲＢを有する１個のＯＦＤＭシンボルである、ＳＳ／ＰＢＣＨブロックの３番目のＯＦＤＭシンボルと、によってＮＲ−ＰＢＣＨを送信（全４８個のＲＢ）
【０１１７】
−  ＤＭＲＳ密度：シンボルごとにＲＢ当たり４つのＲＥ
【０１１８】
−  ＤＭＲＳマッピング：ＳＳ／ＰＢＣＨブロックの２番目及び４番目のＯＦＤＭシンボルに対する等密度（equal density）マッピング（ＳＳ／ＰＢＣＨブロックの３番目のシンボルに対するＤＭＲＳマッピングが無い）
【０１１９】
−  ＤＭＲＳに対するＲＥの数：１６０
【０１２０】
図１１乃至図１２を参照すると、代案２は、代案１又は代案３より悪い性能を提供することが分かる。このようなデコーディング性能の損失は、３番目のシンボルのＤＭＲＳのチャネル推定性能の低下によるものである。一方、提案された３つの方法のうち、代案３が最良のＤＭＲＳデコーディング性能を示す。この性能向上は、代案３のＤＭＲＳ配置によって、代案１及び代案２のＤＭＲＳ配置よりも正確なチャネル情報が得られるからである。
【０１２１】
（４）チャネルラスタ（Channel raster）及び同期ラスタ（Sync Raster）
【０１２２】
ＮＲでは、最大２．６５ＧＨｚ周波数の範囲で１００ｋＨｚチャネルラスタが用いられる。また、同期ラスタは、Ｎ＊９００ｋＨｚ＋Ｍ＊５ｋＨｚの式より決定される。換言すれば、同期ラスタは、｛８９５，  ９００，  ９０５，  １７９５，  １８００，  １８０５，  ２６９５，  ２７００，  ２７０５，  ．．．，  ２６４９．６０５｝ｋＨｚで決定される。即ち、９００ｋＨｚごとに３個の同期ラスタの候補がある。この場合、ＵＥは、ＳＳ／ＰＢＣＨブロックの正確な周波数位置を取得する必要がある。何故なら、ＵＥが正確なＳＳ／ＰＢＣＨブロックの周波数位置をを取得できない場合、最大１０ｋＨｚオフセットだけの時間移動（drifting）が生じ、これは、ＵＥがＤＲＸモードにおけるＳｌｅｅｐ−ｗａｋｅ  ｕｐプロセス過程において問題を起こす可能性があるからである。
【０１２３】
ＳＳ／ＰＢＣＨブロックの正確な周波数位置を取得するための１つの方式は、ＵＥが複数の仮定（hypothesis）に従って、ＳＳＳ信号検出及びＰＢＣＨデコーディングを行うことである。しかしながら、９００ｋＨｚごとに位置する３個の候補同期ラスタ位置間において大きな検出性能の差がない場合、ＵＥがＳＳＳを検出してＰＢＣＨをデコードする動作によってＳＳ／ＰＢＣＨブロックの正確な位置情報を取得することは容易でない。例えば、チャネルラスタによる最大１０ｋＨｚオフセットは、１０ｋＨｚ周波数オフセットの効果と類似するため、たとえＵＥの検出性能は低下するものの、ＵＥは、セルＩＤ検出、ＳＳ／ＰＢＣＨブロックの時間インデックスの検出及びＰＢＣＨデコーディングが行えないわけではない。よって、ＵＥが検出したセルＩＤ検出、ＳＳ／ＰＢＣＨブロック時間インデックス検出及びＰＢＣＨデコーディングなどの結果がある候補同期ラスタの位置情報であるかを分かることは容易ではない（In particular, it is not easy to know position information of a synchronization raster candidate to which the cell ID and the SS/PBCH block time index detected by the UE and a result of the PBCH decoding belong thereto）。
【０１２４】
ＵＥが同期ラスタの５ｋＨｚオフセットを知る必要がある場合、ネットワークがＵＥにＭ値（＋１、０、−１）を指示することができる。特に、Ｍ値の指示は、ＬＴＥ  Ｒｅ−ｆａｒｍｉｎｇ帯域において必須である。Ｍ値は、初期アクセス（initial access）の初期段階（early stage）でＵＥに知られる方が好ましいため、ＭＩＢ又はＲＭＳＩを用いてＭ値を指示することができる。例えば、Ｍ値をＭＩＢによって指示する場合、Ｍ値のために２ビットを用いることができ、また、２ビットで表現される４つの状態は、−１、０、＋１及びＮＵＬＬを示すことができる。（２．４ＧＨｚ以上の周波数範囲では、ＮＵＬＬが用いられる）。
【０１２５】
一方、Ｍ値は、以下の［表２］のように構成される。
【０１２６】
［表２］
【表２】
0006974482.tif 000003
【０１２７】
（５）ＦＲ１における同期ラスタ定義のためのＭ値の指示
【０１２８】
上述のように、基地局は、ＦＲ１に対する同期ラスタの定義（即ち、０、±１）のためのＭ値をＵＥに指示する。但し、隣接する同期ラスタ間の最小（最初）距離（minimum distance）が初期周波数オフセットの許容値以上と十分である場合、Ｍ値の指示は、これ以上必要ではない。即ち、＋／−１００ｋＨｚのシフト値を有する場合、ＵＥは、全ての同期ラスタで同期信号を検出する動作を行うため、Ｍ値の指示は、これ以上必要でない。
【０１２９】
しかしながら、上述したシフト値（即ち、＋／−５ｋＨｚ）を維持するか、シフト値を＋／−１０ｋＨｚに変更する場合、ＲＭＳＩ内にＭ値の指示子を含む必要がある。ＮＲ  ＵＥは、ＬＴＥ  ｒｅ−ｆａｒｍｉｎｇ帯域である２．４ＧＨｚ周波数帯域までの帯域上において、シフト値と搬送波周波数オフセットとを同時に検出できる能力を有しているため、ＰＢＣＨデコーディング性能及びＰＤＳＣＨデコーディング性能を保証することができる。図１３は、シフト値が５ｋＨｚ又は１０ｋＨｚと仮定されるときのＰＢＣＨデコーディング性能を示す。
【０１３０】
図１３に示したように、同期ラスタシフト値５ｋＨｚ及び１０ｋＨｚは、シフト値０ｋＨｚとほぼ同一のＰＢＣＨデコーディング性能を提供する。ＣＦＯとシフト値との和は、ＵＥのＣＦＯ推定範囲内であるため、ＣＦＯ及びシフト値は、ＵＥによって検出できる。また、シフト値に関係なく、同一のＰＤＳＣＨデコーディング性能を保証することができる。この理由によって、５ｋＨｚ及び１０ｋＨｚのいずれも性能側面においてシフト値として適宜である。
【０１３１】
また、ＵＥが３個の異なるシフト値を有する同期ラスタのクラスタのうち、１個の同期ラスタにおいて同期信号を検出する場合、ＵＥは、同期信号の検出に対する仮定数を減少させることができる。
【０１３２】
（６）周波数領域における複数のＳＳ／ＰＢＣＨブロック
【０１３３】
ＵＥは、ＲＭＳＩの存在しないＳＳ／ＰＢＣＨブロックを受信して、検出することができる。また、ＲＭＳＩの存在しないシグナリングは、ＭＩＢを用いて伝達することができる。ＵＥが、初期アクセス過程において、ＲＭＳＩが存在しないというシグナリングを検出した場合、ＵＥは、ＲＭＳＩの存在するＳＳ／ＰＢＣＨブロックを探すために、同期ラスタを確認する。次のＳＳ／ＰＢＣＨブロックにも対応するＲＭＳＩが存在しない場合、ＵＥは、次の同期ラスタを続けてチェックする。
【０１３４】
よって、効率的な同期プロセスのために、初期にＲＭＳＩが存在しないというシグナリングを受信したとき、ＲＭＳＩの存在するＳＳ／ＰＢＣＨブロックの周波数位置を指示する方が好ましい。一方、ＲＭＳＩの存在しないＳＳ／ＰＢＣＨブロックのＭＩＢは、ＲＭＳＩ  ＣＯＲＥＳＥＴを構成するための８ビットを含む必要がないため、これをＲＭＳＩの存在するＳＳ／ＰＢＣＨブロックの周波数位置を指示するために用いることができる。例えば、８ビットは、ＳＳ／ＰＢＣＨブロックが位置する同期ラスタの周波数位置を示すことができる。
【０１３５】
２．ＯＦＤＭ波形生成
【０１３６】
（１）波形
【０１３７】
ＮＲシステムにおいて、ＵＥのために設定されたアクティブ（活性）（Active）ＢＷＰ（BandWidth Part）の帯域幅及び搬送周波数は、ｇＮＢの帯域幅及び搬送周波数とは異なり得る。この場合、搬送周波数の周期がＯＦＤＭシンボル境界と揃わない（整列しない）（not aligned with）ため、各シンボルは、互いに異なる位相に回転（rotation）するので、これにより、シンボルの復元（recovery）は、困難になる。
【０１３８】
各シンボルの位相回転は、
0006974482.tif 000004
及び
0006974482.tif 000005
であり、
このとき、
0006974482.tif 000006
である。
【０１３９】
よって、上述した問題点を解決するために、位相が補償される必要があり、このためのＯＦＤＭシンボル生成方法として、以下の［表３］に示した３つのオプションが考えられる。
【０１４０】
［表３］
【表３】
0006974482.tif 000007
【０１４１】
上述した３つのオプションは、ほぼ同様な方法である。上述した問題点の主な解決方法は、位相不連続からの位相補償がどうようにして分離できるかである（to separate phase compensation from phase discontinuity）。
【０１４２】
上述したオプション１及びオプション２のように、位相補償は、送信側及び受信側のうちの一方にのみ行われるか、オプション３のように、両方について行われることができ、この場合、反対側の搬送波周波数情報が使用可能である。３つのオプションのうち効率的なオプションを選択するためには、オプション１及び２を選択する方が好ましい。何故なら、他方の搬送波周波数情報が知られた場合、一方で位相を補償することができるからである。
【０１４３】
換言すれば、位相は、ＵＥによって用いられる搬送周波数の事前仮定（pre-assumption）を有するｇＮＢによって予め補償され、ＵＥは、位相補償のために更なる動作を行う必要がない。
【０１４４】
（２）ＯＦＤＭ波形生成
【０１４５】
ＮＲシステムでは、送信器と受信器との搬送波周波数が同一ではないことがあるため、全てのシンボルにおいて信号の位相が急に変化する可能性がある。これによるＯＦＤＭ波形の問題を解決するために、非量子化された（un-quantized）搬送波周波数の位相は、ＯＦＤＭシンボル境界で決定された値で再設定されてもよい。また、ＰＲＡＣＨを除く全てのチャネル／信号に対するアップ変換（Up-Conversion）公式は、以下の［数式１］より算出できる。
【０１４６】
［数式１］
【数１】
0006974482.tif 000008
【０１４７】
一方、上述した波形生成に関連して、同期ラスタクラスタ内の＋／−５ｋＨｚシフト値の補償問題とＵＥ具現の複雑性の問題とがあるが、以下、これについて詳細に説明する。
【０１４８】
（３）同期ラスタクラスタ内において＋／−５ｋＨｚシフト値の補償
【０１４９】
上述したオプション３ｂの場合、同期ラスタクラスタ内の＋／−５ｋＨｚシフト値がＡＦＣによって自然に補償されることがあるため、オプション３ａでは、オプション３ｂよりも多いＰＢＣＨ／ＲＭＳＩ検出器が必要であると考えられる。しかしながら、オプション３ａの場合、ＲＭＳＩで指示可能な＋／−５ｋＨｚシフト値がＰＢＣＨ／ＲＭＳＩ検知性能を低下させないと思われるほど小さい性能の差にもかかわらず、ＯＦＤＭシンボル内で位相差が測定されることがあり、よって、オプション３ａは、複数のＰＢＣＨ／ＲＭＳＩ検出器を必要としない。
【０１５０】
また、ＬＴＥ  ｒｅ−ｆａｒｍｉｎｇ帯域において、３０ｋＨｚの副搬送波間隔をサポートするために、＋／−１０ｋＨｚシフト値に変更する必要がある。しかしながら、図１３の評価結果より、＋／−１０ｋＨｚシフト値を仮定するときには、ＰＢＣＨ検出性能の低下が僅かであることが分かるため、オプション３ｂがシフト値の補償の側面から明確なメリットがないことが分かる。
【０１５１】
但し、上述よりも大きいシフト値である（＋／−１００ｋＨｚ）をシフト値の候補として考える場合、オプション３ａ及びオプション３ｂを具現するために、複数のＰＢＣＨ／ＲＭＳＩ検出器又はイントラシンボル周波数オフセット推定器が必要である。
【０１５２】
（４）ＵＥ具現の複雑性（The UE implementation complexity）
【０１５３】
量子化（quantized）されなかった搬送波周波数に対する位相再設定又は位相補償の複雑性が、量子化された搬送波周波数のうちの１つより大きい場合がある。この場合、量子化された搬送波周波数のうちの１つは、オプション３ｂによる同期ラスタで決定された絶対ＤＣポイント（absolute DC point）周辺の同期ラスタが共通参照ポイントとして用いられてもよい。しかしながら、ＵＥ具現方法に応じて、上述したオプションによる算出値は、不正確である可能性がある。よって、ＵＥ具現の複雑性を比較するために、ＵＥ具現のための３つの方法の分析を提供する。
【０１５４】
−  方法１）位相再設定（位相前置補償器（pre-compensator））
【０１５５】
−  方法２）自励（自由動作）発振器（free-running oscillator）及びデジタル周波数変換器
【０１５６】
−  方法３）ＦＦＴリソースマッピング
【０１５７】
上述したＵＥの具現方法に関する説明に先立って、アップ変換（up-conversion）のための搬送波周波数は、以下の［数式２］で示される。
【０１５８】
［数式２］
【数２】
0006974482.tif 000009
【０１５９】
ここで、
0006974482.tif 000010
は、アップ変換のための搬送波周波数であり、
0006974482.tif 000011
は、副搬送波間隔であり、
0006974482.tif 000012
であり、
0006974482.tif 000013
であり、
0006974482.tif 000014
である。
【０１６０】
参考までに、ＮＲシステムで定義されたニューマロロジとして、ＣＰを含む１個のＯＦＤＭシンボル間隔が整数サイクル数を満たす最小周波数を探す必要がある。定義によれば、｛１４４，  １６０，  ２０４８｝のＧＣＤは１６であり、１６サンプルのサイクルを有する周波数は、
0006974482.tif 000015
である。よって、
0006974482.tif 000016
は、アップ変換の間に互いに異なるＯＦＤＭシンボルにわたって位相変化を引き起こさない基本周波数を意味する。
【０１６１】
１）方法１：位相再設定（位相前置補償器）
【０１６２】
位相ランピング（ramping）の量は、自励発振器でアップ変換する前に前置補償されることができ、これは、以下の［数式３］及び図１４の通りである。一方、［数式３］は、［数式１］に基づく。
【０１６３】
［数式３］
【数３】
0006974482.tif 000017
【０１６４】
ここで、
0006974482.tif 000018
である。
【０１６５】
一方、［数式２］及び［数式３］に従えば、
0006974482.tif 000019
、
0006974482.tif 000020
及び
0006974482.tif 000021
であるため、位相前置補償器は、アップ変換周波数のための１２８＊３＝３８４個のパターンを必要とする。
【０１６６】
２）方法２：自励発振器（free-running oscillator）及びデジタル周波数変換器
【０１６７】
［数式１］は、
0006974482.tif 000022
を用いて、以下の［数式４］のように表現できる。このとき、
0006974482.tif 000023
は、自励発振器からの位相不連続性を避けるために、アップ変換のための搬送波周波数を意味する。さらに、アナログ発振器のアップ変換を追加して、デジタル発振器が残差周波数シフト
0006974482.tif 000024
として用いられる。このとき、
0006974482.tif 000025
は、全てのＯＦＤＭシンボル境界で位相再設定のための関数（function）として容易に提供される。
【０１６８】
［数式４］
【数４】
0006974482.tif 000026
【０１６９】
３）方法３：ＦＦＴリソースマッピング
【０１７０】
上述した方法２において、デジタル発振器の変換周波数は、図１５のように、
0006974482.tif 000027
と
0006974482.tif 000028
とに区分できる。このとき、
0006974482.tif 000029
は、複数の副搬送波間隔を意味し、ＩＦＦＴのコンポーネント周波数と対応する。よって、
0006974482.tif 000030
に対応する周波数変換の関数は、ＩＦＦＴにおけるリソース再マッピングによって具現できる。よって、
0006974482.tif 000031
に対応する残差周波数（the residual frequency）は、位相不連続性によるコンポーネントであり、この残差周波数は、以下の［数式５］及び図１６によって補償できる。
【０１７１】
［数式５］
【数５】
0006974482.tif 000032
【０１７２】
ここで、
0006974482.tif 000033
【０１７３】
上述した方法に加えて、位相補正のための様々な実施例がある。特に、オプション３ｂのために、
0006974482.tif 000034
のための自励発振器を用いた類似する方法が用いられる。
【０１７４】
上述に従うとき、方法１が具現に用いられる場合、量子化されなかった搬送波周波数に対する位相補償は、量子化された位相補償方法よりも大きいメモリ記憶装置を必要とする。しかしながら、方法３によるときには、
0006974482.tif 000035
に対応するパターンは、位相再設定のための加重値として必要であり、
0006974482.tif 000036
が０である場合、位相再設定のための更なる掛け算は不要である。よって、具現方法に応じて、複雑性の側面からの方法には大きな差がない。よって、オプション３ｂが、シフト値の補償及びＵＥ具現の複雑性の観点から目立つメリットを有するという明確な証拠はない。
【０１７５】
３．タイミング情報指示（Timing Information Indication）
【０１７６】
（１）ハーフフレーム（Half Frame）指示
【０１７７】
１ビットのハーフフレーム指示子は、ＰＢＣＨペイロードに含まれ、測定のためのＣＳＩ−ＲＳの周期が２０ｍｓ以上の場合、ＵＥは、ネットワークがＣＳＩ−ＲＳ測定のための「同期式（synchronous）」であると仮定する。また、３ＧＨｚ以下の帯域では、最大のビーム数が４個であるため、ハーフフレーム指示子がＰＢＣＨ  ＤＭＲＳによって暗示的（implicitly）にシグナリングされる。
【０１７８】
さらに、ＰＢＣＨをデコーディングせずに、３〜６ＧＨｚ帯域におけるフレームの境界を確認する方法が必要である。３〜６ＧＨｚ帯域におけるイントラ周波数測定のために、隣接セル（neighbor cell）のフレーム境界指示のために、以下のような状況が考えられる。
【０１７９】
１）ネットワークが２０ｍｓ以上の周期を有するＣＳＩ−ＲＳを設定（configuration）する場合、サービングセルは、同期指示子を「同期式」に設定し、ＵＥは、ネットワークが同期式であると仮定できる。
【０１８０】
２）ネットワークが１０ｍｓの周期性を有するＣＳＩ−ＲＳを設定（configuration）する場合、サービングセルは、ＵＥに「ＣＳＩ−ＲＳ−Ｃｏｎｆｉｇ−Ｍｏｂｉｌｉｔｙ」の情報を提供し、ＵＥは、１つの候補ＣＳＩ−ＲＳスクランブルシーケンスの開始位置が奇数番目の５ｍｓであるか偶数番目の５ｍｓであるかを、ＰＢＣＨ  ＤＭＲＳシーケンスによるＳＳ／ＰＢＣＨブロックインデックスを取得した後、コリレーションを行うことで取得できる。
【０１８１】
３）ネットワークが５ｍｓの周期性を有するＣＳＩ−ＲＳを設定（configuration）する場合、サービングセルは、ＵＥに「ＣＳＩ−ＲＳ−Ｃｏｎｆｉｇ−Ｍｏｂｉｌｉｔｙ」の情報を提供し、ＵＥは、２つの候補ＣＳＩ−ＲＳスクランブルシーケンスの開始位置が奇数番目の５ｍｓであるか偶数番目の５ｍｓであるかを、ＰＢＣＨ  ＤＭＲＳシーケンスによるＳＳ／ＰＢＣＨブロックインデックスを取得した後、コリレーションを行うことで取得できる。
【０１８２】
４）ＣＳＩ−ＲＳのスクランブルシーケンスの周期は、５ｍｓと定義される。
【０１８３】
５）ネットワークがＣＳＩ−ＲＳを設定しない場合、ＵＥは、ＰＢＣＨ  ＤＭＲＳシーケンスを介してＳＳＢインデックスを取得しても、偶数番目の５ｍｓと奇数番目の５ｍｓとを区分することができない。
【０１８４】
４）及び５）で生じ得る問題点を解決するために、ネットワークは、常に「１０ｍｓの周期を有するＣＳＩ−ＲＳ」又は「１０ｍｓのスクランブルシーケンス周期を有する５ｍｓのＣＳＩ−ＲＳ周期」を設定（configuration）しなければならない。サービングセルは、ネットワークが非同期式である場合、「ＣＳＩ−ＲＳ−Ｃｏｎｆｉｇ−Ｍｏｂｉｌｉｔｙ」の情報をＵＥに提供する。
【０１８５】
ネットワークが同期式である場合、サービングセルは、同期指示子を「同期式」に設定する。換言すれば、ＣＳＩ−ＲＳが設定されていないか、ＣＳＩ−ＲＳ周期が５ｍｓ以下で、ＣＳＩ−ＲＳのスクランブルシーケンス周期が５ｍｓ以下であるか、又はＣＳＩ−ＲＳ周期が２０ｍｓ、４０ｍｓ、８０ｍｓ、１６０ｍｓ、３２０ｍｓである場合、ネットワークが同期式で動作し、サービングセルは、同期指示子を「同期式」に設定する。
【０１８６】
（２）同期情報（Synchronization information）
【０１８７】
隣接セルに対するＳＳ／ＰＢＣＨ時間インデックスを取得する方法について説明する。ＤＭＲＳシーケンスがＰＢＣＨコンテンツのデコーディングよりも優れた性能を提供するため、各５ｍｓ周期内においてＤＭＲＳシーケンスを変更して、３ビットのＳＳ／ＰＢＣＨブロックインデックスを伝達する。即ち、６ＧＨｚ以下の周波数帯域では、隣接セルに対するＳＳ／ＰＢＣＨ時間インデックスをＮＲ−ＰＢＣＨ  ＤＭＲＳから得ることができる。一方、６ＧＨｚ以上の周波数帯域では、６４個のＳＳ／ＰＢＣＨブロックインデックスがＰＢＣＨ−ＤＭＲＳとＰＢＣＨコンテンツとに分離されて表現されるため、隣接セルのＳＳ／ＰＢＣＨブロックインデックスを取得するために、ＵＥは、隣接セルのＰＢＣＨをデコードする。しかしながら、上述した方法は、隣接セルＮＲ−ＰＢＣＨのデコーディングによる更なる複雑性をもたらす。また、ＰＢＣＨのデコーディング性能がＰＢＣＨ−ＤＭＲＳを用いたデコーディング性能より悪いため、ＵＥがＳＳ／ＰＢＣＨブロックインデックスを得るために、隣接セルのＰＢＣＨを直接デコードする理由がない。
【０１８８】
よって、隣接セルのＰＢＣＨをデコードする代わりに、サービングセルが隣接セルに対するＳＳ／ＰＢＣＨブロックインデックスに関する設定を提供する方法が考えられる。例えば、サービングセルは、ターゲット隣接セルに対するＳＳ／ＰＢＣＨブロックインデックスのＭＳＢ（Most Significant Bits）（3bits）の設定を提供することができる。その後、ＵＥは、隣接セルのＰＢＣＨ−ＤＭＲＳを介して、隣接セルのＳＳ／ＰＢＣＨブロックインデックスのＬＳＢ（Least Significant Bits）３ビットを検出することができる。その後、隣接セルのＳＳ／ＰＢＣＨブロックインデックスを取得するために、サービングセルのＰＢＣＨデコーディングによって取得したＭＳＢ  ３ビットと隣接セルのＰＢＣＨ−ＤＭＲＳによって取得したＬＳＢ  ３ビットとを組み合わせて、ターゲット隣接セルに対するＳＳ／ＰＢＣＨブロックインデックスを取得することができる。
【０１８９】
４．ＮＲ−ＰＢＣＨコンテンツ
【０１９０】
（１）ペイロードサイズ及びコンテンツ
【０１９１】
ＰＢＣＨのペイロードサイズは、６ＧＨｚ以下及び６ＧＨｚ以上のいずれも同様に５４ビットであり、ＰＢＣＨコンテンツは、以下の［表４］の通りである。
【０１９２】
［表４］
【表４】
0006974482.tif 000037
【０１９３】
（２）最小帯域幅１０ＭＨｚを有するＲＭＳＩ  ＣＯＲＥＳＥＴ設定（Configuration）
【０１９４】
ＳＳ／ＰＢＣＨブロックの副搬送波間隔が３０ｋＨｚである場合、最小チャネル帯域幅（ＭｉｎＣＢＷ）が４０ＭＨｚである帯域に基づくＲＭＳＩ  ＣＯＲＥＳＥＴ設定を有することができる。さらに、１５ｋＨｚのＳＳ／ＰＢＣＨブロック副搬送波間隔を有する１０ＭＨｚ  ＭｉｎＣＢＷに対する新たなＲＭＳＩ  ＣＯＲＥＳＥＴ設定が必要であるかについて考える必要がある。Ｂａｎｄ  ４１は、ＳＳ／ＰＢＣＨブロックに対する１５ｋＨｚの副搬送波間隔が用いられる１０ＭＨｚ  ＭｉｎＣＢＷに対して定義される。よって、Ｂａｎｄ  ４１をサポートするＲＳＭＩ  ＣＯＲＥＳＥＴ設定を提供する必要がある。
【０１９５】
また、広いＭｉｎＣＢＷ（即ち、１０ＭＨｚ、４０ＭＨｚ）に対するＳＳエントリの数を減らすために、全ての候補ＳＳエントリに対してダウン選択を採択することに決定した。即ち、Ｂａｎｄ  ４１において１５ｋＨｚの副搬送波間隔を有する場合、ダウン選択値が「３」であるため、同期ラスタ値が大きくなる（即ち、４．３２ＭＨｚ）。このように、１５ｋＨｚの副搬送波間隔に対して大きな値の同期ラスタをサポートするためには、ＮＲは、１０ＭＨｚ  ＭｉｎＣＢＷを有する（のある）（including）ＳＳ／ＰＢＣＨブロックの１５ｋＨｚ副搬送波間隔に対するＲＭＳＩ  ＣＯＲＥＳＥＴを設定する必要がある。また、ＣＯＲＥＳＥＴ設定を定めるとき、ネットワーク帯域幅の状態に応じてネットワークの動作（作動）の柔軟性（operation flexibility）を考慮する。この理由によって、１５ｋＨｚ副搬送波間隔及び１０ＭＨｚ  ＭｉｎＣＢＷ用ＲＭＳＩ  ＣＯＲＥＳＥＴ設定（Configuration）は、１０ＭＨｚ  ＢＷ〜２０ＭＨｚ  ＢＷをサポートするように設計される必要がある。
【０１９６】
一方、ＭＩＢ設定（Configuration）のための４ビットは、ＳＳ／ＰＢＣＨブロックからＲＭＳＩ  ＣＯＲＥＳＥＴまでのＲＢオフセットに対する全ての候補値を示すのに十分ではない。この問題点を解決するために、ＲＭＳＩ  ＣＯＲＥＳＥＴ帯域幅によって２つの設定テーブルを定義し、それらのうちの１つのテーブルを選択する方法を考慮してもよい。しかしながら、この方法は、チャネル帯域幅の使用制限やＲＭＳＩ  ＣＯＲＥＳＥＴ  ＢＷの制限が発生する可能性がある。よって、この方法は、ネットワークリソース活用に適さないかもしれない。よって、２つのテーブルを動的に選択するために、ＭＩＢで用いられる更なるビットを決定する必要があり、ＳＳ／ＰＢＣＨブロックインデックス指示のための予約されたビットから１ビットを決定することができる。即ち、５ｂｉｔｓを用いて新たなＲＭＳＩ  ＣＯＲＥＳＥＴ設定テーブルを設計することができる。換言すれば、ＣＯＲＥＳＥＴ設定のための１ビットがさらに必要であり、このビットは、ＳＳ／ＰＢＣＨブロックインデックス指示のための予約されたビットのうち１ビットを活用することができる。
【０１９７】
（３）ＰＢＣＨを介してＲＭＳＩが存在しないことを素早く識別するための情報
【０１９８】
ＮＲシステムでは、ＳＳブロックがネットワーク接続のための情報を提供するだけではなく、動作測定（operating measurement）のために用いられる。特に、広帯域ＣＣ動作のためには、測定のために複数のＳＳ／ＰＢＣＨブロックを送信することができる。しかしながら、ＲＭＳＩがＳＳ／ＰＢＣＨブロックが送信される全ての周波数位置から伝達される場合、これは、シグナリングオーバーヘッドを増加させることになり得る。よって、リソース活用の効率性のためには、ＲＭＳＩが特定の周波数位置を介して伝達されると見なされる。この場合、初期アクセス過程にあるＵＥは、現在ＵＥが検出した周波数位置においてシステム情報が提供されるか否かを認識することができないため、システム情報取得に曖昧性をもたらす可能性がある。この曖昧性を解決するための解決策として、ＰＢＣＨに該当するＲＭＳＩがないことを素早く識別するために、ビットフィールドを定義する方法を考える必要がある。また、ビットフィールドを導入する必要のない他の解決策も考慮する必要がある。このうちの１つの解決策は、測定目的のＳＳ／ＰＢＣＨブロックを、周波数ラスタで定義されない周波数位置から送信する方法である。この場合、初期アクセス過程にあるＵＥは、ＳＳ／ＰＢＣＨブロックを検出できないため、ＲＭＳＩの存否に対する曖昧性が解決される。
【０１９９】
そのための具体的な実施例を説明すると、ＡＮＲの可能なＥＮ−ＤＣ  ＵＥが、システム情報が存在しない周波数位置でシステム情報を取得しようと試みないように、１つのコードポイント（例えば、ａｌｌ−ｚｅｒｏｓ）を「ＳＩＢ１が存在しない」として定義することができる。このとき、「コードポイント」を定義する主な目的は、追加ビットによるオーバーヘッドを避けることである。
【０２００】
そのための１つの方法として、４ビットのＲＭＳＩ検索ウィンドウ機会（Search window occasion）設定（configuration）のうちの１つの状態をコードポイントのための候補として用いることができる。他の方法は、ｃｅｌｌＢａｒｒｅｄ及びｉｎｔｒａＦｒｅｑＲｅｓｅｌｅｃｔｉｏｎに対して２ビットフィールドを結合して、各目的に対して４つの状態を定義することである。例えば、「００」はｃｅｌｌＢａｒｒｅｄ、「０１」はｉｎｔｒａＦｒｅｑＲｅｓｅｌｅｃｔｉｏｎ、「１０」はＳＩＢ１無し、「１１」はＳＩＢ１有りを示すことができる。
【０２０１】
「ＳＩＢ１  ｎｏｔ  ｐｒｅｓｅｎｔ」がトリガされる場合、ＭＩＢの他のビットフィールドを用いてＳＩＢ１のある周波数位置を示すことができる。この方法は、ＵＥの検出の複雑性を減少させるというメリットを提供することができる。
【０２０２】
具体的には、ＳＳＢ−ｓｕｂｃａｒｒｉｅｒ−ｏｆｆｓｅｔの予約された（reserved）値を用いてＳＳ／ＰＢＣＨブロックに関するＲＭＳＩがないことを指示するが、ＲＭＳＩが指示されないとき、ＲＭＳＩ−ＰＤＣＣＨ−ｃｏｎｆｉｇがＲＭＳＩを有するＳＳ／ＰＢＣＨブロックを検索するための次の同期ラスタを指示するのに用いる。即ち、次の同期ラスタの指示のために、ＳＳ＿ＰＢＣＨ＿ｆｒｅｑｕｅｎｃｙ位置の定義に従うことができる。
【０２０３】
一方、ＳＳ／ＰＢＣＨブロックの周波数位置は、ＮＲ動作帯域当たり最低の同期ラスタ、同期ラスタの倍数及びラスタオフセットの関数で定義される。
【０２０４】
例えば、ＦＲ１では、｛２４００ＭＨｚ＋Ｎ＊１．４４ＭＨｚ｝でＳＳ／ＰＢＣＨブロックの周波数位置が定められ、ＦＲ２では、｛［２４２５０．０８］ＭＨｚ＋Ｎ＊［１７．２８］｝ＭＨｚで定められ、ＬＴＥ  ｒｅ−ｆａｒｍｉｎｇ帯域では、｛Ｎ＊９００ｋＨｚ＋Ｍ＊５ｋＨｚ｝でＳＳ／ＰＢＣＨブロックの周波数位置が定められる。
【０２０５】
同様な方式によって、ＮＲ動作帯域当たりの最低同期ラスタを定義することができる。また、ＲＭＳＩ−ＰＤＣＣＨ−ｃｏｎｆｉｇは、ＮＲ動作帯域ごとに「Ｎ」値を指示するために用いられる。また、次の同期ラスタに対するラスタオフセット「Ｍ」の正確な値は、ＭＩＢで指示されない。ＵＥが指示されたＳＳ／ＰＢＣＨブロック周波数位置でＲＭＳＩに対するＰＤＳＣＨをデコードした後、ＵＥは、ＲＭＳＩから正確な「Ｍ」値を得ることができる。
【０２０６】
一方、「Ｎ」の範囲は、ＮＲ動作帯域によって定義される。多くの場合、ＲＭＳＩ−ＰＤＣＣＨ−Ｃｏｎｆｉｇの８ビットは、該当ＲＳＭＩがある次の同期ラスタを示すのに十分であるため、「Ｎ」に対して２５６の範囲内で次の同期ラスタを示すことができる。
【０２０７】
しかしながら、［表５］に示されるように、一部のバンドには、「Ｎ」に対する２５６以上の範囲が必要である。
【０２０８】
［表５−１］
【表５−１】
0006974482.tif 000038
【０２０９】
［表５−２］
【表５−２】
0006974482.tif 000039
【０２１０】
特に、Ｂａｎｄ  ｎ７７及びｎ７８には、それぞれ６２０個の同期ラスタ候補値と３４２個の同期ラスタ候補値とがある。よって、次の同期ラスタ指示のための追加状態を指示（表示）する（indicating）ための指示方法が必要である。そのために、ＳＳＢ−ｓｕｂｃａｒｒｉｅｒ−ｏｆｆｓｅｔ指示で用いられた後に残った状態を用いることが考えられる。ＦＲ１のＳＳＢ−ｓｕｂｃａｒｒｉｅｒ−ｏｆｆｓｅｔに対する「３２」個の状態のうち、２４個の状態がオフセットの指示に用いられ、８個の状態が残される。よって、残りの状態のうちの一部の状態を用いて「Ｎ」の指示範囲を定義することができる。また、ＵＥに現在接続している帯域にＲＭＳＩが存在しない可能性がある場合、ＵＥが他の帯域を検索するための指針を提供するために、帯域内にＲＭＳＩがないという追加指示を考慮してもよい。
【０２１１】
例えば、ＳＳＢ−ｓｕｂｃａｒｒｉｅｒ−ｏｆｆｓｅｔに対する状態のうち、ＲＭＳＩ指示及びＳＳ／ＰＢＣＨ検索候補に対して、以下の４つの状態を定義することができる。
【０２１２】
−  第１の状態：帯域内にＲＭＳＩ無し
【０２１３】
−  第２の状態：同期ラスタにＲＭＳＩが無く、「Ｎ」の範囲は０から２５５まで
【０２１４】
−  第３の状態：同期ラスタにＲＭＳＩが無く、「Ｎ」の範囲は２５６から５１１まで
【０２１５】
−  第４の状態：同期ラスタにＲＭＳＩが無く、「Ｎ」の範囲は５１２から７６７まで
【０２１６】
５．初期アクティブ下りリンクＢＷＰ（Initial Active DL BWP）
【０２１７】
ＵＥは、セルＩＤ検出及びＰＢＣＨデコーディングを含む初期同期過程の間、ＳＳ／ＰＢＣＨブロックの帯域幅内において信号の検出を試みる。また、ＵＥは、初期アクティブＤＬ／ＵＬバンド（帯域幅）内において次の初期アクセス過程であるシステム情報を取得するための過程及びＲＡＣＨプロセスを続けて行う。
【０２１８】
初期アクティブＤＬ  ＢＷＰは、ＲＭＳＩ  ＣＯＲＥＳＥＴの周波数位置及びＲＭＳＩ  ＣＯＲＥＳＥＴの帯域幅、ＲＭＳＩのニューマロロジに基づいて定義される。ＲＭＳＩ  ＣＯＲＥＳＥＴ設定（Configuration）及びＲＭＳＩのニューマロロジは、ＰＢＣＨペイロードで設定（Configuration）することができる。また、ＳＳ／ＰＢＣＨブロックと初期アクティブＤＬ  ＢＷＰとの間のオフセットは、ＰＢＣＨを介して指示される。図１７のように、オフセットは、６ＧＨｚ以下及び６ＧＨｚ以上の周波数範囲においてＳＳ／ＰＢＣＨブロックとチャネルＲＢとの任意のオフセットとして指示されるため、オフセット値は、６ＧＨｚ以下及び６ＧＨｚ以上の周波数範囲の全てに対して定義される必要がある。ＵＥは、初期アクティブＤＬ  ＢＷＰ及びＣＯＲＥＳＥＴの情報を得た後、初期アクティブＢＷＰ及びＣＯＲＥＳＥＴの情報に基づいて、システム情報（即ち、ＲＭＳＩ）を取得するための過程を行うことができる。
【０２１９】
ＮＲは、ＱＣＬｅｄ  ＳＳ／ＰＢＣＨブロック及びＲＭＳＩのＦＤＭ送信をサポートする。また、ＳＳ／ＰＢＣＨブロック及び初期アクティブＤＬ  ＢＷＰを多重化する帯域幅を明確にする必要がある。ＵＥは、ＲＭＳＩに対応するＰＤＣＣＨ  ＣＯＲＥＳＥＴを、ＲＭＳＩを運ぶＰＤＳＣＨのために割り当てられるリソースではＳＳブロックが送信されないと仮定する（When a resource is allocated to PDSCH on which RMSI corresponding to a PDCCH CORESET is carried, a UE assumes that an SS block is not transmitted in the allocated resource）。即ち、図１８のように、３個のＯＦＤＭシンボルがＲＭＳＩ  ＣＯＲＥＳＥＴのために用いられるとき、ＳＳ／ＰＢＣＨブロックとＲＭＳＩ  ＣＯＲＥＳＥＴ／ＰＤＳＣＨとがＦＤＭされる。一方、ＲＭＳＩ  ＣＯＲＥＳＥＴに対して、最大２個のＯＦＤＭシンボルが割り当てられる場合、ＳＳ／ＰＢＣＨとＲＭＳＩ  ＣＯＲＥＳＥＴとは、ＴＤＭされ、ＳＳ／ＰＢＣＨ（と）ＲＭＳＩ  ＰＤＳＣＨ（と）は、初期アクティブＤＬ  ＢＷＰ内においてＦＤＭされる。
【０２２０】
初期アクセス過程の間に、ＵＥは、測定（measurement）、時間／周波数追跡（tracking）、ＲＡＣＨ電力制御などのために、ＳＳ／ＰＢＣＨブロックを周期的に受信する必要がある。しかしながら、ＳＳ／ＰＢＣＨブロックがＵＥ最小ＢＷの外部に位置すると、広帯域動作を行う能力のない一部のＵＥは、周期的にＳＳ／ＰＢＣＨブロックを受信するために周波数再設定（retuning）を行わなければならない。このような周波数再設定は、ＵＥ動作の観点から、ＲＦの再組み合わせによる初期アクセス過程の待機時間を増加させることがある。よって、ＮＲでは、ＳＳ／ＰＢＣＨブロックとＲＭＳＩ  ＣＯＲＥＳＥＴとがＦＤＭされても、ＳＳ／ＰＢＣＨブロックとＲＭＳＩ  ＣＯＲＥＳＥＴとは、ＵＥ最小ＲＸ帯域幅内に制限されてＦＤＭされることもある。
【０２２１】
６．ＲＭＳＩ  ＣＯＲＥＳＥＴ設定
【０２２２】
（１）ＲＭＳＩ  ＣＯＲＥＳＥＴ設定のためのビットサイズ
【０２２３】
ＮＲ−ＰＢＣＨペイロードのＲＭＳＩ設定（Configuration）には、ＲＭＳＩ  ＣＯＲＥＳＥＴに対する帯域幅（ＰＲＢ単位で表現）、ＯＦＤＭシンボル、周波数位置及びモニタリングウィンドウが含まれてもよい。このために、ＰＢＣＨペイロードは、２４ビットのＣＲＣを含み、全５６ビットを用いる。このとき、ＣＲＣの２４ビットを除く３２ビットのうちの８ビットは、ＲＭＳＩ  ＣＯＲＥＳＥＴの設定（Configuration）のために用いられてもよい。また、周波数オフセット指示のための４ビットが周波数位置を示す部分であると考えられる場合、全１２ビットがＲＭＳＩ  ＣＯＲＥＳＥＴ設定のために割り当てられる。一方、６ＧＨｚ以下の周波数帯域に対しては、ＲＭＳＩ  ＣＯＲＥＳＥＴの設定（Configuration）のために３ビットがさらに用いられる。
【０２２４】
（２）要求帯域幅（Required Bandwidth）及びＯＦＤＭシンボル
【０２２５】
ＲＭＳＩ  ＣＯＲＥＳＥＴにどのくらいの周波数／時間リソース、即ち、どのくらいのＰＲＢの数及びＯＦＤＭシンボルの数が必要であるかを決定するために、ＮＲでサポートされるアグリゲーション（集成）レベル（Aggregation level）を考慮する。例えば、ＮＲが４、６及び８の３個のアグリゲーションレベルをサポートする場合、２４、３２及び４８個のＲＢのように少なくとも３個のＰＲＢサイズが要求される。また、チャネルＢＷ内のＰＲＢの数は、副搬送波間隔によって定義される。例えば、チャネルＢＷが１０ＭＨｚであるとき、１５ｋＨｚ副搬送波間隔におけるＰＲＢの数は５２であり、３０ｋＨｚ副搬送波間隔におけるＰＲＢの数は２４である。この場合、要求されるアグリゲーションレベルを提供するために、１個又は２個のＯＦＤＭシンボルが必要となる。よって、ＰＲＢの数及びＯＦＤＭシンボルの数を示す２つの表（即ち、表６及び表７）を提案する。
【０２２６】
ここで、［表６］は、１個のＲＭＳＩ  ＣＯＲＥＳＥＴのためのＰＲＢの数を示し、［表７］は、１個のＲＭＳＩ  ＣＯＲＥＳＥＴのためのＯＦＤＭシンボルの数を示す。
【０２２７】
［表６］
【表６】
0006974482.tif 000040
【０２２８】
［表７］
【表７】
0006974482.tif 000041
【０２２９】
表６において、ＰＲＢの数は、ＰＢＣＨペイロードによって指示された副搬送波間隔に応じて定義される。また、ＲＭＳＩ  ＣＯＲＥＳＥＴ帯域幅の数は、周波数範囲によって異なるため、帯域幅設定のために互いに異なるビットサイズを考慮することができる。例えば、６ＧＨｚ以下の周波数帯域では、２ビットを用いて、６ＧＨｚ以上の周波数帯域では、１ビットを用いることができる。また、これに基づいて、ＲＭＳＩ  ＣＯＲＥＳＥＴの帯域幅のためのＵＥ最小ＢＷを決定することができる。例えば、６ＧＨｚ以下の周波数帯域におけるＵＥ最小ＢＷは、２０／４０ＭＨｚであり、６ＧＨｚ以上の周波数帯域におけるＵＥ最小ＢＷは、１００ＭＨｚまで考慮できる。但し、表６における一部の設定は、６ＧＨｚ以上の周波数帯域から除いてもよい。例えば、１００ＭＨｚ帯域幅は、除いてもよい。
【０２３０】
表７では、ＯＦＤＭシンボルの数を定義する。ＲＭＳＩ  ＣＯＲＥＳＥＴの場合、スロット内においてＰＤＣＣＨに対して最大３個のＯＦＤＭシンボルが用いられる。特に、スロット内において最大２個のＲＭＳＩ  ＣＯＲＥＳＥＴが構成でき、ＲＭＳＩ  ＣＯＲＥＳＥＴのためのＯＦＤＭシンボルが１個割り当てられた場合、スロット内においてＰＤＣＣＨのために最大２個のＯＦＤＭシンボルが用いられる。上述とは異なる場合には、１個のＲＭＳＩ  ＣＯＲＥＳＥＴがスロット内で用いられてもよい。
【０２３１】
（３）周波数位置指示（Frequency Position Indication）
【０２３２】
ＲＭＳＩ  ＣＯＲＥＳＥＴの周波数位置は、ＲＭＳＩ  ＣＯＲＥＳＥＴの周波数位置とＳＳ／ＰＢＣＨブロックの周波数位置との相対的なＲＥオフセットで示すことができる。このＲＥオフセットは、ＳＳ／ＰＢＣＨブロックの副搬送波間隔によって定義される。図１９は、ＲＭＳＩ  ＣＯＲＥＳＥＴの周波数位置を示す実施例を示す。
【０２３３】
図１９を参照すると、ＲＭＳＩ  ＣＯＲＥＳＥＴの最低（最下位）のＰＲＢが、ＳＳ／ＰＢＣＨブロック送信のための２個の連続したＳＳ／ＰＢＣＨブロックの候補位置の間に存在するとき、ネットワークは、より高い周波数の位置を有する１個の候補ＳＳ／ＰＢＣＨブロック位置を選択することができる。高い周波数の位置を有する候補ＳＳ／ＰＢＣＨブロック位置で、ＳＳＢを定義するセル、即ち、ＲＭＳＩを有するＳＳ／ＢＰＣＨブロックが送信され、ＲＭＳＩ  ＣＯＲＥＳＥＴは、ＳＳ／ＰＢＣＨブロックの最低のＰＲＢインデックスを基準として指示される。また、ＲＭＳＩ  ＣＯＲＥＳＥＴがＳＳ／ＰＢＣＨブロック送信のための２個の連続したＳＳ／ＰＢＣＨブロックの候補位置のうちの高い周波数位置にあるＳＳ／ＰＢＣＨブロックを基準として指示されると仮定すると、ＲＭＳＩ  ＣＯＲＥＳＥＴとＳＳ／ＰＢＣＨブロックとの間の周波数位置のオフセットの最大範囲は、同期ラスタによって定義される。
【０２３４】
また、上述した例では、２個の連続したＳＳ／ＰＢＣＨブロックの候補位置を基準とするとき、より高い周波数の位置にあるＳＳ／ＰＢＣＨブロックを基準として指示されるという意味は、ＲＭＳＩ  ＣＯＲＥＳＥＴの中心から最も近いＳＳ／ＰＢＣＨブロックを意味する。具体的には、図１９を参照すると、オフセット値は、ＲＭＳＩ  ＣＯＲＥＳＥＴの最低のＰＲＢと、ＳＳ／ＰＢＣＨブロックの最低のＰＲＢとの間のオフセット値で定義されるため、図１９において、上端のＰＲＢが低いインデックスを有するＰＲＢとなる。即ち、ＲＭＳＩ  ＣＯＲＥＳＥＴにおいて最低のＰＲＢは、図１９において最上端に位置するＲＭＳＩ  ＣＯＲＥＳＥＴのＰＲＢであり、よって、ＲＭＳＩ  ＣＯＲＥＳＥＴの最低のＰＲＢの上下に位置するＳＳ／ＰＢＣＨブロックは、図１９に示すＳＳ／ＰＢＣＨブロックのうち、最上のＳＳ／ＰＢＣＨブロック及び中間のＳＳ／ＰＢＣＨブロックとなる。
【０２３５】
即ち、図１９において、上端部の周波数値が低い場合、下端部の周波数値が高いものである。よって、オフセット値の基準となり得る候補ＳＳ／ＰＢＣＨブロックは、最上のＳＳ／ＰＢＣＨブロック及び中間のＳＳ／ＰＢＣＨブロックであり、このうち、高い周波数位置にある中間ＳＳ／ＰＢＣＨブロックの最低の（図１９では最上位）ＰＲＢとＲＭＳＩ  ＣＯＲＥＳＥＴの最低のＰＲＢとの相対的なＲＢ値の差がオフセットとして表現される。
【０２３６】
よって、図１９によれば、最上のＳＳ／ＰＢＣＨブロック及び中間のＳＳ／ＰＢＣＨブロックのうち、中間のＳＳ／ＰＢＣＨブロックがＲＭＳＩ  ＣＯＲＥＳＥＴの中心に最も近いため、高い周波数位置に存在するＳＳ／ＰＢＣＨブロックをオフセット値の基準ＳＳ／ＰＢＣＨブロックとして決定するという意味は、ＲＭＳＩ  ＣＯＲＥＳＥＴの中心から最も近いＳＳ／ＰＢＣＨブロックになり得ることを意味する。
【０２３７】
また、同期ラスタは、最小チャネル帯域幅、ＳＳ／ＰＢＣＨブロック帯域幅及びチャネルラスタによって定義される。例えば、最小チャネル帯域幅が広い場合、同期ラスタは広くなる。よって、より広い同期ラスタは、ＳＳエントリ数を減らすというメリットがある。但し、同期ラスタが広い場合、ＲＭＳＩ  ＣＯＲＥＳＥＴとＳＳ／ＰＢＣＨブロックとの間の周波数位置を指示するために必要なビットサイズは、増加する。よって、上述した事項を考慮して、同期ラスタの適宜な範囲を決定する必要がある。
【０２３８】
以下の［表８］乃至［表１３］は、最小チャネル帯域幅及び副搬送波間隔に応じて周波数オフセットの指示に必要なビットサイズの例を示す。
【０２３９】
［表８］
【表８】
0006974482.tif 000042
【０２４０】
［表９］
【表９】
0006974482.tif 000043
【０２４１】
［表１０］
【表１０】
0006974482.tif 000044
【０２４２】
［表１１］
【表１１】
0006974482.tif 000045
【０２４３】
［表１２］
【表１２】
0006974482.tif 000046
【０２４４】
［表１３］
【表１３】
0006974482.tif 000047
【０２４５】
このうち、［表９］によれば、最小チャネル帯域幅が１０ＭＨｚであるとき、１５ｋＨｚ副搬送波間隔に対して５２個のＰＲＢを仮定する。よって、同期ラスタは５７７５ｋＨｚであり、これは、１５ｋＨｚ副搬送波間隔において３８５個のＲＥｓと表現される。この場合、ＲＥレベル周波数オフセット指示のために、最大９ビットが必要である。
【０２４６】
また、［表１１］によれば、最小チャネル帯域幅が４０ＭＨｚであるとき、３０ｋＨｚ副搬送波間隔に対して１０６ＰＲＢを仮定して、同期ラスタは３０９７５ｋＨｚとなり、これは、３０ｋＨｚ副搬送波間隔において１０３３個のＲＥｓと表現される。この場合、ＲＥレベル周波数オフセット指示のために最大１１ビットが必要である。また、［表１２］のように、最小チャネル帯域幅が５０ＭＨｚである場合、１２０ｋＨｚ副搬送波間隔に対して同期ラスタは１７３４０ｋＨｚとなり、これは、１４５個のＲＥｓと表現される。よって、ＲＥレベル周波数オフセット指示のために最大８ビットが必要である。
【０２４７】
しかしながら、必要なビットサイズがＰＢＣＨ  ＭＩＢに収容（許容）する（allowed）には大き過ぎる場合、ＮＲは、同期ラスタサイズを減らすか、周波数オフセット指示範囲を制限してもよい。例えば、３０ｋＨｚ副搬送波間隔の場合、周波数オフセット指示のために、最大１１ビットが必要であるため、同期ラスタのサイズを減らすことが考えられる。
【０２４８】
［表１１］に戻り、３０ｋＨｚ副搬送波間隔に対して５１個のＰＲＢを仮定すると、同期ラスタは１１１７５ｋＨｚとなり、３０ｋＨｚ副搬送波間隔において３７３個のＲＥｓと表現される。この場合、ＲＥレベル周波数オフセットの指示には、最大９ビットが必要である。一方、上述した方法によれば、ＳＳエントリの数は、４から９に増加するが、これは、重要な事項ではない。また、１２０ｋＨｚ副搬送波間隔の場合、周波数オフセット指示の範囲を制限してもよい。ＲＭＳＩ  ＣＯＲＥＳＥＴとＳＳ／ＰＢＣＨブロックとの間の周波数位置の指示の最大周波数範囲が１２８個のＲＥに制限される場合、ＲＥレベル周波数オフセット指示に最大７ビットが必要である。
【０２４９】
ここで、上述したＲＭＳＩ  ＣＯＲＥＳＥＴ周波数位置を指示する方法に関する実施例による、ＵＥ及び基地局における動作を説明する。
【０２５０】
図２０は、ＵＥの動作を示す。図２０を参照すると、ＵＥは、基地局からＳＳ／ＰＢＣＨブロックを受信し（Ｓ２００１）、ＳＳ／ＰＢＣＨブロックに含まれるＰＢＣＨコンテンツ、即ち、ＭＩＢを介して、ＲＭＳＩ  ＣＯＲＥＳＥＴの位置を示すオフセット値を取得する。このとき、オフセット値は、上述したように、ＲＭＳＩ  ＣＯＲＥＳＥＴの最低のＰＲＢインデックスと、最大のＰＲＢインデックスの上下に存在する複数のＳＳ／ＰＢＣＨブロックのうち、最高の周波数位置を有するＳＳ／ＰＢＣＨのＰＲＢと、の間のオフセット値である（Ｓ２００３）。
【０２５１】
一方、上述したＲＭＳＩ  ＣＯＲＥＳＥＴとＳＳ／ＰＢＣＨブロックとの間のＰＲＢオフセット値は、上述のように、副搬送波間隔、同期ラスタ及び最小チャネル帯域幅に基づいて制限されてもよい。換言すれば、ＰＲＢオフセット値を指示するには多過ぎるビット数が必要となるのを防止するために、副搬送波間隔による同期ラスタの範囲を制限し、調整された範囲によってオフセット値を設定することができる。これによって、オフセット値を指示するために要求されるビットの数も変化する。
【０２５２】
ＵＥは、オフセット値に基づいてＲＭＳＩ  ＣＯＲＥＳＥＴの周波数位置を決定し（Ｓ２００５）、ＰＢＣＨコンテンツ、即ち、ＭＩＢを介して取得したＲＭＳＩ  ＣＯＲＥＳＥＴのサイズに関する情報に基づいて、決定されたＲＭＳＩ  ＣＯＲＥＳＥＴ内においてＲＭＳＩをスケジューリングするＰＤＣＣＨを受信し（Ｓ２００７）、ＰＤＣＣＨのスケジューリング情報に基づいてＲＭＳＩを取得する（Ｓ２００９）。このとき、ＲＭＳＩ  ＣＯＲＥＳＥＴのサイズは、オフセット値を示すためのビットによって共に取得されることができる。
【０２５３】
図２１を参照して、基地局の側面からの動作を検討すると、基地局は、ＳＳ／ＰＢＣＨブロックをＵＥに送信する。このとき、基地局は、ＳＳ／ＰＢＣＨブロック内にあるＰＢＣＨコンテンツ、即ち、ＭＩＢにＲＭＳＩ  ＣＯＲＥＳＥＴの最低のＰＲＢと、ＲＭＳＩ  ＣＯＲＥＳＥＴが位置する同期ラスタに存在する複数のＳＳ／ＰＢＣＨブロックのうち、高い周波数位置にあるＳＳ／ＰＢＣＨブロックと、の間の相対的な周波数位置に該当するオフセット値に関する情報を含めて送信することができる（Ｓ２１０１）。また、オフセット値のためのビットの値によって、ＲＭＳＩ  ＣＯＲＥＳＥＴのサイズも共に知ることができる。
【０２５４】
その後、基地局は、ＰＢＣＨコンテンツに含めたＲＭＳＩ  ＣＯＲＥＳＥＴに関する情報に基づいて、ＲＭＳＩ  ＣＯＲＥＳＥＴ内でＲＭＳＩをスケジューリングするＰＤＣＣＨを送信し（Ｓ２１０３）、ＰＤＣＣＨのスケジューリングに従って、ＲＭＳＩをＵＥに送信する（Ｓ２１０５）。
【０２５５】
図２２によって、上述した基地局及びＵＥの動作を簡単にまとめると、基地局は、ＳＳ／ＰＢＣＨブロックをＵＥに送信し（Ｓ２２０１）、ＵＥは、ＰＢＣＨをデコードし、ＲＭＳＩ  ＣＯＲＥＳＥＴの位置及びサイズに関する情報を取得する（Ｓ２２０３）。このとき、ＲＭＳＩ  ＣＯＲＥＳＥＴの位置は、ＲＭＳＩ  ＣＯＲＥＳＥＴが存在する周波数に対応する同期ラスタに関する複数のＳＳ／ＰＢＣＨブロックのうち、高い周波数位置にあるＳＳ／ＰＢＣＨブロックとＲＭＳＩ  ＣＯＲＥＳＥＴの最低のＰＲＢとの相対的な位置を示すオフセット値によって取得することができる。
【０２５６】
取得した情報に基づいて、ＵＥは、ＲＭＳＩ  ＣＯＲＥＳＥＴの周波数位置及びサイズを決定し（Ｓ２２０５）、ＲＭＳＩ  ＣＯＲＥＳＥＴによってＲＭＳＩをスケジューリングするＰＤＣＣＨを基地局から受信する（Ｓ２２０７）。その後、ＵＥは、ＰＤＣＣＨを介して取得したスケジューリング情報に基づいてＲＭＳＩを受信する（Ｓ２２０９）。
【０２５７】
（４）ＲＭＳＩ  ＰＤＣＣＨモニタリングウィンドウの設定（Configuration）
【０２５８】
ＳＳ／ＰＢＣＨブロックに関するＲＭＳＩ  ＰＤＣＣＨモニタリングウィンドウは、周期的に繰り返される。図２３は、ＲＭＳＩ  ＰＤＣＣＨモニタリングウィンドウのオフセット、区間（duration）及び周期（period）に関する実施例を示す。
【０２５９】
ＲＭＳＩ  ＰＤＣＣＨモニタリング周期は、ＳＳ／ＰＢＣＨブロックを検出するための基本周期（default period）と同一かより長く定義することができる。初期アクセス過程において、ＵＥは、２０ｍｓごとにＳＳ／ＰＢＣＨブロックを検出する。即ち、ＳＳ／ＰＢＣＨの基本検出周期は、２０ｍｓである。
【０２６０】
よって、ＲＭＳＩ  ＣＯＲＥＳＥＴがＲＭＳＩ  ＣＯＲＥＳＥＴに対応するＳＳ／ＰＢＣＨブロックを送信すると仮定すると、ＵＥは、ＳＳ／ＰＢＣＨブロックの検出周期と同一の周期、即ち、２０ｍｓでＲＭＳＩ  ＣＯＲＥＳＥＴをモニタリングすることができる。
【０２６１】
ＲＭＳＩ  ＴＴＩが１６０ｍｓと決定される場合、ＵＥは、ＲＭＳＩ  ＴＴＩ内において同一のＲＭＳＩを含むＰＤＳＣＨを数回受信することができる。例えば、ＲＭＳＩ  ＴＴＩが１６０ｍｓと決定される場合、基本ＳＳ／ＰＢＣＨブロックの検出周期が２０ｍｓであるため、同一のＲＭＳＩが、８回繰り返して受信されることができる。
【０２６２】
一方、ＲＭＳＩ送信に対する周期が短くなると、ＲＭＳＩのカバレッジが拡大される。しかしながら、この場合、ネットワークは、ブロードキャスト（放送）システム情報（broadcast system information）伝達のためのＤＬ専用送信持続区間（duration）を予約（reserved）するはずであり、これは、ＴＤＤシステムにおけるリソース活用の柔軟性（flexibility）を制限する可能性がある。例えば、ＴＳ  ３８．２１３  ｖ  １．３．０に従うとき、ＳＳ／ＰＢＣＨブロックの数が８であり、ＲＭＳＩ副搬送波間隔が１５ｋＨｚであり、Ｏが５であり、スロット当たりのサーチスペースセットの数が１であり、Ｍ＝２である場合、１０ｍｓでは、ＵＬ設定（configuration）ができない場合がある。さらに、６ＧＨｚ以上の周波数範囲において、ＵＬ設定のための時間リソースは、減らされることもある。
【０２６３】
この問題点を解決するために、ＳＳ／ＰＢＣＨブロックの数を制限してもよいが、これは、ＮＲシステム上、多過ぎる制約をもたらす可能性がある。一方では、ＴＳ  ３８．２１３の表１３−９乃至１３−１３における媒介変数を修正する方法が考えられる。換言すれば、Ｍ＝２の場合、問題が多いため、Ｍの値は、１／２又は１と設定することができる。また、Ｏ値のセットは、６ＧＨｚより小さい周波数範囲では｛０，  ２，  ５，  ７｝であり、６ＧＨｚ以上の周波数範囲では｛０，  ２．５，  ５，  ７．５｝であるが、５ｍｓより大きいオフセット値が設定された（Configured）場合、ＵＬ設定（Configuration）に対する時間リソースが１０ｍｓと十分でない可能性がある。よって、Ｏ値の設定は、６ＧＨｚ以下の周波数範囲では｛０，  ２，  １０，  １２｝に、６ＧＨｚ以上の周波数範囲では｛０，  ２．５，  １０，  １２．５｝に変更される。
【０２６４】
一方では、ＵＥがより短い周期に基づいてＰＤＣＣＨをモニタリングする場合、ＵＥのバッテリの消耗が増加することがある。よって、４０ｍｓのように、より長い周期を考える必要がある。
【０２６５】
しかしながら、複数のビーム方向を有する多重ＲＳＭＩ送信のために、複数の送信機会（occasion）が提供されるために、２０ｍｓなどのより短い周期が求められる場合もある。この場合、図２３に示したように、ｇＮＢが偶数インデックスビーム及び奇数インデックスビームに対するＲＭＳＩ  ＣＯＲＥＳＥＴを２０ｍｓごとに交互に送信すると、ＵＥは、特定のＳＳに対して４０ｍｓの周期を有して、特定のＳＳ／ＰＢＣＨブロックインデックスに対応するＲＭＳＩ  ＣＯＲＥＳＥＴをモニタリングすることができる。
【０２６６】
ＲＭＳＩ  ＰＤＣＣＨモニタリングの持続区間（duration）は、実際に送信されたＳＳ／ＰＢＣＨブロックの数に応じて決定される。例えば、複数のＳＳ／ＰＢＣＨブロックを送信する場合、異なる方向を有する複数のＲＭＳＩ送信のためにより長いモニタリング持続区間（duration）が必要となる。この場合、ＵＥは、ＲＭＳＩモニタリング区間がより長いと仮定することができる。しかしながら、実際に送信されたＳＳ／ＰＢＣＨブロックの数が少ない場合にも、ＵＥがＲＭＳＩモニタリングの固定的に長い持続区間を仮定すると、ＵＥのバッテリの消耗の観点から効率的ではない。
【０２６７】
よって、ｇＮＢがＲＭＳＩ  ＰＤＣＣＨモニタリング区間（duration）を設定する必要がある。例えば、ＲＳＭＩ  ＰＤＣＣＨモニタリング区間は、２つのスロット又は４つのスロット区間と設定することができる。このとき、ＲＭＳＩ  ＰＤＣＣＨモニタリングウィンドウは、ＳＳ／ＰＢＣＨブロック間において重なる場合がある。この場合、ＵＥは、互いに異なるＳＳ／ＰＢＣＨブロック間でＱＣＬ可能なＰＤＣＣＨを検出することができる。また、ＳＳ／ＰＢＣＨブロックインデックスとＲＭＳＩとの対応の曖昧性を避けるために、ＲＭＳＩに対するＰＤＣＣＨのスクランブルシーケンス又はＤＭＲＳシーケンスがＳＳ／ＰＢＣＨブロックインデックスによって初期化されることができる。
【０２６８】
ＲＭＳＩ  ＰＤＣＣＨモニタリングのために設定可能なオフセットは、ネットワークのためのリソース活用の柔軟性を提供することができる。例えば、ネットワークに広いスペクトルがある場合、ｇＮＢは、ＳＳ／ＰＢＣＨブロックとＲＭＳＩとを同一区間（duration）内で送信することができる。また、ネットワークがＳＳ／ＰＢＣＨブロックとＲＭＳＩとを個別に送信できる柔軟性を有する場合、ｇＮＢは、ＳＳ／ＰＢＣＨブロックが送信される時間間隔と異なる時間間隔に基づいて、ＲＭＳＩを送信することができる。一方、準静的（半静的）（semi-static）ＤＬ／ＵＬ割り当て周期を考慮する場合、オフセット値は、０ｍｓ及び１０ｍｓが適切である。
【０２６９】
（５）ＳＳ／ＰＢＣＨブロックの副搬送波間隔が２４０ｋＨｚであり、ＰＤＣＣＨの副搬送波間隔が６０ｋＨｚであるときの、多重化パターン２
【０２７０】
ＳＳ／ＰＢＣＨブロックとＲＭＳＩ  ＣＯＲＥＳＥＴ／ＰＤＳＣＨとの間の多重化が可能である。そのためのパターン１は、６ＧＨｚ以下の周波数でＳＳ／ＰＢＣＨブロックとＲＭＳＩとのＴＤＭをサポートするように定義され、パターン２及び３は、６ＧＨｚ以上の周波数でＳＳ／ＰＢＣＨブロックとＲＭＳＩとのＦＤＭをサポートするように定義される。
【０２７１】
ところが、現在、｛ＳＳ／ＰＢＣＨブロック，ＰＤＣＣＨ｝副搬送波間隔｛２４０，６０｝ｋＨｚに対しては、パターン２が定義されていない。しかしながら、２４０ｋＨｚのＳＳ／ＰＢＣＨブロックがビームスイーピングによるオーバーヘッドを減らすというメリットがあることを考慮すると、パターン２を、｛ＳＳ／ＰＢＣＨブロック，ＰＤＣＣＨ｝副搬送波間隔｛２４０，６０｝ｋＨｚに対して定義する必要がある。
【０２７２】
一方、パターン２をサポートするためには、ＲＭＳＩ  ＣＯＲＥＳＥＴに十分なＯＦＤＭシンボルが必要である。副搬送波間隔｛２４０，６０｝ｋＨｚに対してパターン２を用いる１つの方法は、ＲＭＳＩ  ＣＯＲＥＳＥＴが２０ｍｓごとに偶数インデックスビームと奇数インデックスビームとを交互に送信することである。図２４は、｛ＳＳ／ＰＢＣＨブロック，ＰＤＣＣＨ｝副搬送波間隔｛２４０，６０｝ｋＨｚの場合に対するパターン２の実施例を示す。
【０２７３】
即ち、ＵＥは、図２４に示したパターン２に従って、｛ＳＳ／ＰＢＣＨブロック，ＰＤＣＣＨ｝副搬送波間隔｛２４０，６０｝ｋＨｚの場合に対して、４０ｍｓの周期性を有するＳＳ／ＰＢＣＨブロックインデックスによるＲＭＳＩ  ＣＯＲＥＳＥＴを効率的にモニタリングすることができる。
【０２７４】
図２４に示したパターン２を表にまとめると、以下の［表１４］のインデックス４、５、６及び７の通りである。
【０２７５】
［表１４］
【表１４】
0006974482.tif 000048
【０２７６】
（６）広帯域幅のサポート（Wide Bandwidth support）
【０２７７】
現在、ＣＯＲＥＳＥＴ設定は、ＦＲ１の場合、ＵＥ最小帯域幅が２０ＭＨｚ以下であり、ＦＲ２の場合、ＵＥ最小帯域幅は５０ＭＨｚ以下であると決定された。しかしながら、ＲＭＳＩ  ＣＯＲＥＳＥＴ設計に対する仮定は、変更が必要である。何故なら、６ＧＨｚ以下の全てのＮＲ帯域に対して、ＴＳ  ３８．１０１−１  ｖ１５．０．０の表５．３．５−１に示した全ての帯域幅が、単一コンポーネント搬送波を有している必要があるからである。よって、１５ｋＨｚ副搬送波間隔の場合、必ず５０ＭＨｚ  ＢＷをサポートし、３０ｋＨｚ副搬送波間隔の場合、必ず１００ＭＨｚ  ＢＷをサポートする必要がある。よって、ＲＭＳＩ  ＣＯＲＥＳＥＴに１５ｋＨｚ／３０ｋＨｚの副搬送波間隔の場合、５０ＭＨｚ  ＢＷ／１００ＭＨｚ  ＢＷのように、従来の合意よりも広い帯域幅が導入されると、ＲＭＳＩ  ＣＯＲＥＳＥＴのためのより少ない数のＯＦＤＭシンボルを適用することができる。
【０２７８】
より広い帯域幅をサポートするために、ＣＯＲＥＳＥＴ設定（Configuration）に関して、１９６個のＲＢのように、１個以上のＲＢを設定することが考えられる。よって、この場合、ＲＭＳＩ  ＣＯＲＥＳＥＴ設定のために、５ビットを用いてもよく、５ビットを用いたＲＭＳＩ  ＣＯＲＥＳＥＴ設定は、以下の［表１５］乃至［表１８］の通りである。
【０２７９】
［表１５］
【表１５】
0006974482.tif 000049
【０２８０】
［表１６］
【表１６】
0006974482.tif 000050
【０２８１】
［表１７］
【表１７】
0006974482.tif 000051
【０２８２】
［表１８］
【表１８】
0006974482.tif 000052
【０２８３】
（７）ＲＡＮ４同意による同期ラスタ
【０２８４】
同期ラスタは、１５ｋＨｚ副搬送波間隔の場合は９００ｋＨｚであり、３０ｋＨｚ副搬送波間隔の場合は１．４４ＭＨｚであると仮定して、ＲＭＳＩ  ＣＯＲＥＳＥＴ設定テーブルを作成した後、同期ラスタの正確な値を決定した。［表１９］には、周波数範囲による同期ラスタの値を示す。
【０２８５】
［表１９］
【表１９】
0006974482.tif 000053
【０２８６】
［表１９］に示されるように、同期ラスタは、各周波数範囲、ＳＳ／ＰＢＣＨブロックの副搬送波間隔及び最小チャネルＢＷに基づいて定義される。［表１９］を参照すると、最小チャネル帯域幅が広い場合、同期ラスタが広くなる。
【０２８７】
ＴＤＭ送信が用いられる多重化パターン１が６ＧＨｚ以下の周波数帯域でのみ用いられる場合、ＲＭＳＩ  ＣＯＲＥＳＥＴの周波数位置とＳＳ／ＰＢＣＨブロックの周波数位置との間のオフセットに対する新たな設定（Configuration）表を定義することができる。また、オフセットに対する新たな設定表は、同期ラスタによって定義される。この新たな設定表は、以下の［表２０］の通りである。
【０２８８】
［表２０］
【表２０】
0006974482.tif 000054
【０２８９】
［表２１］
【表２１】
0006974482.tif 000055
【０２９０】
［表２２］
【表２２】
0006974482.tif 000056
【０２９１】
［表２３］
【表２３】
0006974482.tif 000057
【０２９２】
［表２４］
【表２４】
0006974482.tif 000058
【０２９３】
（８）多重化パターン１のためのＲＭＳＩ  ＰＤＣＣＨモニタリングウィンドウ機会（Occasion）設定
【０２９４】
ＳｙｓｔｅｍＩｎｆｏｒｍａｔｉｏｎＢｌｏｃｋＴｙｐｅ１、即ち、ＲＭＳＩを伝達するＰＤＳＣＨを受信するとき、ＵＥは、ＰＤＳＣＨの受信のために用いられたＲＥではＳＳ／ＰＢＣＨブロックが送信されないと仮定できる。
【０２９５】
即ち、ＲＭＳＩを送信するＳＳ／ＰＢＣＨブロックとＰＤＳＣＨとが時間領域において多重化されるとき、ｇＮＢは、互いに異なる時間インスタンスにおいて、ＲＭＳＩのためのＳＳ／ＰＢＣＨブロックとＰＤＳＣＨとを送信する。図２５のように、ＦＲ１においてパターン１で多重化する場合、ＳＳ／ＰＢＣＨバーストセット送信のためのＳＦＮを偶数ＳＦＮ及び奇数ＳＦＮの中から選択すると、ＳＳ／ＰＢＣＨとＲＭＳＩに対するＰＤＳＣＨとの間の衝突を避けることができる。
【０２９６】
また、ＦＲ２において、殆どの場合、衝突は、ＳＳ／ＰＢＣＨブロックインデックスの選択、ＰＤＳＣＨの副搬送波間隔、モニタリングウィンドウオフセットの値などの設定（Configuration）パラメータの適宜な組み合わせによって防止できる。しかしながら、ＦＲ２においてＭ＝２である場合は、ＳＳ／ＰＢＣＨブロックとＲＭＳＩに対するＰＤＳＣＨとの間の衝突を回避することが難しい。よって、このためには、図２６のように、ＳＳ／ＰＢＣＨブロックの数を制限する方法を用いてもよい。
【０２９７】
（９）多重化パターン２のためのＲＭＳＩ  ＰＤＣＣＨモニタリングウィンドウ機会（Occasion）の設定
【０２９８】
スロット内においてＳＳ／ＰＢＣＨブロックの候補位置は、ＤＬ制御及びＵＬ制御のための一部のＯＦＤＭシンボルを保存する範囲で決定される。
【０２９９】
また、全てのスロットにおいてＵＬ制御送信を保証するために、インデックス１２及び１３のＯＦＤＭシンボルには、ＳＳ／ＰＢＣＨブロックが割り当てられない。しかしながら、｛ＳＳ／ＰＢＣＨブロック，ＰＤＣＣＨ｝の副搬送波間隔が｛２４０，１２０｝ｋＨｚである多重化パターン２をモニタリングするときには、インデックス１２及び１３のＯＦＤＭシンボルでＰＤＣＣＨのモニタリング機会（Occasion）の設定（Configuration）が定義される。具体的には、多重化パターン２のスロットインデックス（ｎｃ）は、以下のように定義される。
【０３００】
・０，  １，  ２，  ３，  ０，  １  ｉｎ  ｉ＝８ｋ，  ｉ＝８ｋ＋１，  ｉ＝８ｋ＋２，  ｉ＝８ｋ＋３，  ｉ＝８ｋ＋６，  ｉ＝８ｋ＋７  （ｎc  ＝  ｎSSB,i）
【０３０１】
・１２，  １３  ｉｎ  ｉ＝８ｋ＋４，  ｉ＝８ｋ＋５  （ｎc  =  ｎSSB,i−1）
【０３０２】
即ち、多重化パターン２のためのスロットでは、ＵＬ制御送信のための機会（Occasion）が許可（許容）され（permitted）ない。
【０３０３】
よって、各スロットに含まれたインデックス０、１、２及び３を有するＯＦＤＭスロットにおいてＤＬ送信のためのＰＤＣＣＨモニタリング機会（Occasion）を設定するための方法が考えられる。図２７は、多重化パターン２に対するＲＭＳＩ  ＰＤＣＣＨモニタリングウィンドウ機会（Occasion）を示す。
【０３０４】
図２７の場合、ＰＤＣＣＨモニタリングのためのＯＦＤＭシンボルの数は、スロット内のＳＳ／ＰＢＣＨブロックの数より少ない。よって、この問題点を解決するために、ＳＳ／ＰＢＣＨブロックの数を制限して、ＳＳ／ＰＢＣＨブロックインデックスのスロットに対するマッピング規則を変更することができる。
【０３０５】
具体的には、１対１のマッピングというＳＳ／ＰＢＣＨブロックインデックスのスロットに対するマッピング規則は維持して、ＳＳ／ＰＢＣＨインデックスのＯＦＤＭシンボルへのマッピングを変更してもよい。他の方法として、複数のＳＳ／ＰＢＣＨブロックインデックスを同一のＯＦＤＭシンボルにマッピングすることができる。
【０３０６】
１）ＳＳ／ＰＢＣＨブロック数の制限
【０３０７】
−  Ｅｎｔｒｙ  ＃１：０，  １，  ２，  ３，  ０，  １  ｉｎ  ｉ＝８ｋ，  ｉ＝８ｋ＋１，  ｉ＝８ｋ＋２，  ｉ＝８ｋ＋３，  ｉ＝８ｋ＋４，  ｉ＝８ｋ＋５  （ｎc  ＝  ｎSSB,i）
【０３０８】
−  Ｅｎｔｒｙ  ＃２：０，  ２，  ０  ｉｎ  ｉ＝｛８ｋ，  ８ｋ＋１｝，  ｉ＝｛８ｋ＋２，  ８ｋ＋３｝，  ｉ＝｛８ｋ＋４，  ８ｋ＋５｝  （ｎc  ＝  ｎSSB,i）
【０３０９】
２）複数のＳＳ／ＰＢＣＨブロックインデックスを同一のＯＦＤＭシンボルにマッピング
【０３１０】
−  Ｅｎｔｒｙ  ＃３：０，  １，  ０，  １  ｉｎ  ｉ＝｛８ｋ，  ８ｋ＋１｝，  ｉ＝｛８ｋ＋２，  ８ｋ＋３｝，  ｉ＝｛８ｋ＋４，  ８ｋ＋５｝，  ｉ＝｛８ｋ＋６，  ８ｋ＋７｝  （ｎc  ＝  ｎSSB,i）
【０３１１】
図２８は、無線装置１０とネットワークノード２０との間の通信の例を示すブロック図である。ここで、ネットワークノード２０は、図２８の無線装置又はＵＥに置き換え（取り替え）られ（replaced）てもよい。
【０３１２】
本明細書において、無線装置１０又はネットワークノード２０は、１つ又は複数の他の無線装置、ネットワークノード及び／又はネットワークの他の要素と通信するためのトランシーバ（Transceiver）１１，２１を含む。トランシーバ１１，２１は、１つ又は複数の送信器、１つ又は複数の受信器及び／又は１つ又は複数の通信インターフェースを含むことができる。
【０３１３】
また、上記トランシーバ１１，２１は、１つ又は複数のアンテナを備えてもよい。アンテナは、処理（プロセシング）チップ（processing chip）１２，２２の制御下において、本発明の一実施例に従い、トランシーバ１１，２１によって処理された信号を外部に送信したり、外部から無線信号を受信して処理チップ１２，２２へ伝達したりする機能を果たす。アンテナは、アンテナポートとも呼ばれる。各アンテナは、１つの物理アンテナに該当するか、２つ以上の物理アンテナ要素（element）の組み合わせによって構成される（configured）。各アンテナから送信された信号は、無線装置１０又はネットワークノード２０によってそれ以上分解されることはない。該当アンテナに対応して送信された参照信号（Reference Signal，ＲＳ）は、無線装置１０又はネットワークノード２０の観点から見たアンテナを定義し、チャネルが一つの物理アンテナからの単一（single）の無線チャネルであるか、又は上記アンテナを含む複数の物理アンテナ要素（element）からの合成（composite）チャネルであるかに関係なく、無線装置１０又はネットワークノード２０にとって上記アンテナに対するチャネル推定を可能にする。即ち、アンテナは、上記アンテナ上のシンボルを伝達するチャネルが、同一アンテナ上の他のシンボルが伝達される上記チャネルから導出されるように定義される。複数のアンテナを用いてデータを送受信する多入力多出力（Multi-Input Multi-Output，ＭＩＭＯ）機能をサポートするトランシーバの場合は、２つ以上のアンテナと接続されてもよい。
【０３１４】
本発明において、トランシーバ１１，２１は、受信ビームフォーミングと送信ビームフォーミングとをサポートすることができる。例えば、本発明において、トランシーバ１１，２１は、図５乃至図８に例示された機能を行うように構成される。
【０３１５】
また、無線装置１０又はネットワークノード２０は、処理チップ１２，２２を含む。処理チップ１２，２２は、プロセッサ１３，２３などの少なくとも１つのプロセッサ及びメモリ１４，２４などの少なくとも１つのメモリ装置を含むことができる。
【０３１６】
処理チップ１２，２２は、本明細書において説明された方法及び／又はプロセスのうちの少なくとも１つを制御することができる。換言すれば、処理チップ１２，２２は、本明細書に記載された少なくとも１つの実施例を実行するように構成される。
【０３１７】
プロセッサ１３，２３は、本明細書において説明された無線装置１０又はネットワークノード２０の機能を行うための少なくとも１つのプロセッサを含む。
【０３１８】
例えば、１つ又は複数のプロセッサは、図２８の１つ又は複数のトランシーバ１１，２１を制御して、情報を送受信することができる。
【０３１９】
また、処理チップ１２，２２に含まれたプロセッサ１３，２３は、無線装置１０又はネットワークノード２０の外部に送信される信号及び／又はデータに対して所定の符号化（coding）及び変調（modulation）を行った後、トランシーバ１１，２１に送信する。例えば、プロセッサ１３，２３は、送信しようとするデータ列を逆多重化及びチャネル符号化、スクランブル及び変調過程などを経て、Ｋ個のレイヤに変換する。符号化されたデータ列は、コードワードとも呼ばれ、ＭＡＣ層が提供するデータブロックであるトランスポート（輸送）ブロック（transport block）と等価である。一つのトランスポートブロック（Transport Block，ＴＢ）は、１つのコードワードに符号化され、各コードワードは、１つ又は複数のレイヤの形態で受信装置に送信される。周波数アップコンバート（変換）（frequency up converting）のために、トランシーバ１１，２１は、オシレータ（oscillator）を含むことができる。トランシーバ１１，２１は、Ｎt個（Ｎtは、１以上の正の整数）の送信アンテナを含むことができる。
【０３２０】
また、処理チップ１２，２２は、データ、プログラミング可能なソフトウェアコード及び／又は本明細書に説明された実施例を行うための他の情報を記憶するように構成されたメモリ１４，２４を含む。
【０３２１】
換言すれば、本明細書による実施例において、メモリ１４，２４は、プロセッサ１３，２３などの少なくとも１つのプロセッサによって実行（executed）されるとき、プロセッサ１３，２３に、図２８のプロセッサ１３，２３によって制御されるプロセスのうちの一部又は全部を行わせるか、図１乃至図２７に基づいて、本明細書に説明された実施例を実行させるための命令を含むソフトウェアコード１５，２５を記憶する。
【０３２２】
具体的には、本発明の実施例による無線装置１０の処理チップ１２は、基地局からＳＳ／ＰＢＣＨブロックを受信するように制御して、ＳＳ／ＰＢＣＨブロックに含まれたＰＢＣＨコンテンツ、即ち、ＭＩＢを介して、ＲＭＳＩ  ＣＯＲＥＳＥＴの位置を示すオフセット値を取得する。このとき、オフセット値は、上述のように、ＲＭＳＩ  ＣＯＲＥＳＥＴの最低のＰＲＢインデックスと、この最低のＰＲＢインデックスの上下に存在する複数のＳＳ／ＰＢＣＨブロックのうち、最高の周波数位置を有するＳＳ／ＰＢＣＨのＰＲＢと、の間のオフセット値である。換言すれば、これは、ＲＭＳＩ  ＣＯＲＥＳＥＴの中心から最も近いＳＳ／ＰＢＣＨブロックとＲＭＳＩ  ＣＯＲＥＳＥＴとの間のオフセット値である。
【０３２３】
一方、上述したＲＭＳＩ  ＣＯＲＥＳＥＴとＳＳ／ＰＢＣＨブロックとの間のＰＲＢオフセット値は、上述のように、副搬送波間隔、同期ラスタ及び最小チャネル帯域幅に基づいて制限されてもよい。換言すれば、ＰＲＢオフセット値を指示するために、多すぎるビット数が必要になるのを防止するために、副搬送波間隔による同期ラスタの範囲を制限し、この調整された範囲によってオフセット値を設定することができる。これにより、オフセット値を指示するために求められるビットの数も変わる。
【０３２４】
無線装置１０の処理チップ１２は、上記オフセット値に基づいてＲＭＳＩ  ＣＯＲＥＳＥＴの周波数位置を決定し、ＰＢＣＨコンテンツ、即ち、ＭＩＢを介して取得したＲＭＳＩ  ＣＯＲＥＳＥＴのサイズに関する情報に基づいて、決定されたＲＭＳＩ  ＣＯＲＥＳＥＴ内においてＲＭＳＩをスケジューリングするＰＤＣＣＨを受信し、ＰＤＣＣＨのスケジューリング情報に基づいてＲＭＳＩを取得するように制御する。このとき、ＲＭＳＩ  ＣＯＲＥＳＥＴのサイズは、オフセット値を示すためのビットによって共に取得されることができる。
【０３２５】
また、本発明の実施例によるネットワークノード２０の処理チップ２２は、ＳＳ／ＰＢＣＨブロックをＵＥに送信するように制御する。このとき、ネットワークノード２０の処理チップ２２は、ＳＳ／ＰＢＣＨブロック内にあるＰＢＣＨコンテンツ、即ち、ＭＩＢに、ＲＭＳＩ  ＣＯＲＥＳＥＴの最低のＰＲＢと、ＲＭＳＩ  ＣＯＲＥＳＴの最低のＰＲＢインデックスの上下に存在する複数のＳＳ／ＰＢＣＨブロックのうち、高い周波数位置にあるＳＳ／ＰＢＣＨブロックと、の間の相対的な周波数位置に該当するオフセット値に関する情報を含んで送信するように制御することができる。換言すれば、これは、ＲＭＳＩ  ＣＯＲＥＳＥＴの中心から最も近いＳＳ／ＰＢＣＨブロックとＲＭＳＩ  ＣＯＲＥＳＥＴとの間のオフセット値である。また、オフセット値のためのビットの値によって、ＲＭＳＩ  ＣＯＲＥＳＥＴのサイズも共に知ることができる。
【０３２６】
一方、上述したＲＭＳＩ  ＣＯＲＥＳＥＴとＳＳ／ＰＢＣＨブロックとの間のＰＲＢオフセット値は、上述のように、副搬送波間隔、同期ラスタ及び最小チャネル帯域幅に基づいて制限されてもよい。換言すれば、ＰＲＢオフセット値を指示するために、多すぎるビット数が必要になるのを防止するために、副搬送波間隔による同期ラスタの範囲を制限し、調節された範囲によってオフセット値を設定することができる。これにより、オフセット値を指示するために求められるビットの数も変わる。
【０３２７】
その後、ネットワークノード２０の処理チップ２２は、ＰＢＣＨコンテンツに含めたＲＭＳＩ  ＣＯＲＥＳＥＴに関する情報に基づいて、ＲＭＳＩ  ＣＯＲＥＳＥＴ内においてＲＭＳＩをスケジューリングするＰＤＣＣＨを送信するように制御し、ＰＤＣＣＨのスケジューリングに従って、ＲＭＳＩをＵＥに送信するように制御する。
【０３２８】
以上で説明した実施例は、本発明の構成要素及び特徴が所定形態に結合されたものである。それぞれの構成要素又は特徴は、別に明示的に言及しない限り、選択的なものとして考慮しなければならない。それぞれの構成要素又は特徴は、他の構成要素や特徴と組み合わせられない形態で実施することができる。また、一部の構成要素及び／又は特徴を組み合わせて、本発明の実施例を構成することも可能である。本発明の実施例で説明する動作の順序は、変更可能である。ある実施例の一部の構成や特徴は、他の実施例に含まれることができ、あるいは、他の実施例の対応する構成又は特徴に置き換えられることができる。特許請求の範囲で明示的な引用関係がない請求項を組み合わせて、実施例を構成するか、又は出願後の補正によって新たな請求項として含めることができるのはいうまでもない。
【０３２９】
この明細書にて説明した基地局により行われる特定の動作は、場合によっては、その上位ノード（upper node）により行われることができる。即ち、基地局を含む複数のネットワークノード（network nodes）からなるネットワークにおいて、端末との通信のために行われる様々な動作は、基地局又は基地局以外の他のネットワークノードにより行われることができる。基地局は、固定局（fixed station）、ＮｏｄｅＢ、ｅＮｏｄｅＢ（ｅＮＢ）、アクセスポイント（access point）などの用語に代替できる。
【０３３０】
本発明に係る実施例は、多様な手段、例えば、ハードウェア、ファームウェア、ソフトウェア又はこれらの結合（組み合わせ）などによって具現できる。ハードウェアによる具現の場合、本発明の一実施例は、１つ又は複数のＡＳＩＣｓ（application specific integrated circuits）、ＤＳＰｓ（digital signal processors）、ＤＳＰＤｓ（digital signal processing devices）、ＰＬＤｓ（programmable logic devices）、ＦＰＧＡｓ（field programmable gate arrays）、プロセッサ、コントローラ、マイクロコントローラ、マイクロプロセッサなどによって具現される。
【０３３１】
ファームウェアやソフトウェアによる具現の場合、本発明の一実施例は、以上で説明した機能又は動作を行うモジュール、手順、関数などの形態で具現することができる。ソフトウェアコードは、メモリユニットに記憶してプロセッサによって駆動することができる。メモリユニットは、プロセッサの内部又は外部に位置し、既に公知の多様な手段によってプロセッサとデータをやり取りすることができる。
【０３３２】
本発明は、本発明の特徴を逸脱しない範囲内で他の特定の形態で具体化されることができるのは、当業者にとって明らかである。したがって、上記詳細な説明は、すべての面で制限的に解釈されてはならず、例示的なものとして考慮されなければならない。本発明の範囲は、添付の特許請求の範囲の合理的解釈によって決定されなければならず、本発明の等価的範囲内でのすべての変更は、本発明の範囲に含まれる。
【産業上の利用可能性】
【０３３３】
上述のような下りリンクチャネルを送受信する方法及びそのための装置は、第５世代Ｎｅｗ  ＲＡＴシステムに適用される例を中心として説明したが、第５世代Ｎｅｗ  ＲＡＴシステムの他にも、様々な無線通信システムに適用することができる。
【図１（Ａ）】
0006974482.tif 000059
【図１（Ｂ）】
0006974482.tif 000060
【図２】
0006974482.tif 000061
【図３（ａ）】
0006974482.tif 000062
【図３（ｂ）】
0006974482.tif 000063
【図４】
0006974482.tif 000064
【図５（ａ）】
0006974482.tif 000065
【図５（ｂ）】
0006974482.tif 000066
【図６】
0006974482.tif 000067
【図７】
0006974482.tif 000068
【図８】
0006974482.tif 000069
【図９】
0006974482.tif 000070
【図１０（ａ）】
0006974482.tif 000071
【図１０（ｂ）】
0006974482.tif 000072
【図１０（ｃ）】
0006974482.tif 000073
【図１１】
0006974482.tif 000074
【図１２】
0006974482.tif 000075
【図１３】
0006974482.tif 000076
【図１４】
0006974482.tif 000077
【図１５】
0006974482.tif 000078
【図１６】
0006974482.tif 000079
【図１７】
0006974482.tif 000080
【図１８（ａ）】
0006974482.tif 000081
【図１８（ｂ）】
0006974482.tif 000082
【図１９】
0006974482.tif 000083
【図２０】
0006974482.tif 000084
【図２１】
0006974482.tif 000085
【図２２】
0006974482.tif 000086
【図２３】
0006974482.tif 000087
【図２４】
0006974482.tif 000088
【図２５（ａ）】
0006974482.tif 000089
【図２５（ｂ）】
0006974482.tif 000090
【図２５（ｃ）】
0006974482.tif 000091
【図２６】
0006974482.tif 000092
【図２７】
0006974482.tif 000093
【図２８】
0006974482.tif 000094